(57)【要約】【課題】第１電極への電圧の印加によって生じる電界の不均一性発生を回避することができ、表示画像の品質劣化が生じ難い構成、構造を有する液晶表示装置を提供する。【解決手段】液晶表示装置は、第１基板２０及び第２基板５０、第１基板２０に形成された第１電極１２０、第２基板５０に形成された第２電極５２、並びに、液晶層６０を有する画素１０が、複数、配列されて成り、液晶分子６１にはプレチルトが付与され、第１電極１２０は、複数の凸部１３０及び凹部１４０を有する下地層１５０、及び、透明導電材料層から成り、下地層１５０の凸部頂面１５１には、第１給電部に接続された第１透明導電材料層１３５が形成されており、下地層１５０の凹部底面１５２には、第２給電部に接続された第２透明導電材料層１４５が形成されている。【選択図】  図１
2015191232.tif 000002
【特許請求の範囲】
【請求項１】
第１基板及び第２基板、
第２基板と対向する第１基板の対向面に形成された第１電極、
第１基板と対向する第２基板の対向面に形成された第２電極、並びに、
第１電極及び第２電極の間に設けられ、液晶分子を含む液晶層、
を有する画素が、複数、配列されて成る液晶表示装置であって、
液晶分子にはプレチルトが付与され、
第１電極は、複数の凸部及び凹部を有する下地層、及び、透明導電材料層から成り、
下地層の凸部頂面には、第１給電部に接続された第１透明導電材料層が形成されており、
下地層の凹部底面には、第２給電部に接続された第２透明導電材料層が形成されている液晶表示装置。
【請求項２】
凸部は、画素中心部を通り、放射状に延びる幹凸部、及び、幹凸部から画素周辺部に向かって延びる複数の枝凸部から構成されており、
凹部は、画素周辺部に額縁状に形成され、凸部を取り囲む幹凹部、及び、幹凹部から延び、枝凸部と枝凸部との間に位置する枝凹部から構成されている請求項１に記載の液晶表示装置。
【請求項３】
凸部は、画素周辺部に額縁状に形成された幹凸部、及び、幹凸部から画素内部に向かって延びる複数の枝凸部から構成されており、
凹部は、画素中心部を通り、放射状に延びる幹凹部、及び、幹凹部から画素周辺部に向かって延び、枝凸部と枝凸部との間に位置する枝凹部から構成されている請求項１に記載の液晶表示装置。
【請求項４】
第１給電部と第２給電部とは共通である請求項１に記載の液晶表示装置。
【請求項５】
共通とされた第１給電部及び第２給電部は画素周辺部に設けられている請求項４に記載の液晶表示装置。
【請求項６】
画素中心部を通り、画素周辺部に平行な直線のそれぞれをＸ軸、Ｙ軸とした（Ｘ，Ｙ）座標系を想定したとき、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延びる請求項１に記載の液晶表示装置。
【請求項７】
第１基板及び第２基板、
第２基板と対向する第１基板の対向面に形成された第１電極、
第１基板と対向する第２基板の対向面に形成された第２電極、並びに、
第１電極及び第２電極の間に設けられ、液晶分子を含む液晶層、
を有する画素が、複数、配列されて成る液晶表示装置であって、
液晶分子にはプレチルトが付与され、
第１電極は、複数の凸部及び凹部を有する下地層、及び、透明導電材料層から成り、
下地層の凸部頂面には、第１透明導電材料層が形成されており、
下地層の凹部底面には、第１透明導電材料層と繋がった第２透明導電材料層が形成されており、
凸部は、画素中心部を通り、放射状に延びる幹凸部、及び、幹凸部から画素周辺部に向かって延びる複数の枝凸部から構成されており、
凹部は、幹凸部から延び、枝凸部と枝凸部との間に位置し、
凹部には最狭部が存在する液晶表示装置。
【請求項８】
第１基板及び第２基板、
第２基板と対向する第１基板の対向面に形成された第１電極、
第１基板と対向する第２基板の対向面に形成された第２電極、並びに、
第１電極及び第２電極の間に設けられ、液晶分子を含む液晶層、
を有する画素が、複数、配列されて成る液晶表示装置であって、
液晶分子にはプレチルトが付与され、
第１電極は、複数の凸部及び凹部を有する下地層、及び、透明導電材料層から成り、
下地層の凸部頂面には、第１透明導電材料層が形成されており、
下地層の凹部底面には、第１透明導電材料層と繋がった第２透明導電材料層が形成されており、
凸部は、画素中心部を通り、放射状に延びる幹凸部、及び、幹凸部から画素周辺部に向かって延びる複数の枝凸部から構成されており、
凹部は、幹凸部から延び、枝凸部と枝凸部との間に位置し、
凹部と凸部との間の段差が最も小さくなる領域が存在する液晶表示装置。
【請求項９】
第１基板及び第２基板、
第２基板と対向する第１基板の対向面に形成された第１電極、
第１基板と対向する第２基板の対向面に形成された第２電極、並びに、
第１電極及び第２電極の間に設けられ、液晶分子を含む液晶層、
を有する画素が、複数、配列されて成る液晶表示装置であって、
液晶分子にはプレチルトが付与され、
第１電極は、複数の凸部及び凹部を有する下地層、及び、透明導電材料層から成り、
下地層の凸部頂面には、第１透明導電材料層が形成されており、
下地層の凹部底面には、第１透明導電材料層と繋がった第２透明導電材料層が形成されており、
凸部は、画素周辺部に額縁状に形成された幹凸部、及び、幹凸部から画素内部に向かって延びる複数の枝凸部から構成されており、
凹部は、幹凸部から延び、枝凸部と枝凸部との間に位置し、
凹部には最狭部が存在する液晶表示装置。
【請求項１０】
第１基板及び第２基板、
第２基板と対向する第１基板の対向面に形成された第１電極、
第１基板と対向する第２基板の対向面に形成された第２電極、並びに、
第１電極及び第２電極の間に設けられ、液晶分子を含む液晶層、
を有する画素が、複数、配列されて成る液晶表示装置であって、
液晶分子にはプレチルトが付与され、
第１電極は、複数の凸部及び凹部を有する下地層、及び、透明導電材料層から成り、
下地層の凸部頂面には、第１透明導電材料層が形成されており、
下地層の凹部底面には、第１透明導電材料層と繋がった第２透明導電材料層が形成されており、
凸部は、画素周辺部に額縁状に形成された幹凸部、及び、幹凸部から画素内部に向かって延びる複数の枝凸部から構成されており、
凹部は、幹凸部から延び、枝凸部と枝凸部との間に位置し、
凹部と凸部との間の段差が最も小さくなる領域が存在する液晶表示装置。
【請求項１１】
凸部は、更に、幹凸部から、画素中心部を通り、放射状に延び、枝凸部と繋がった第２幹凸部を有する請求項９又は請求項１０に記載の液晶表示装置。
【請求項１２】
凹部は、画素中心部を通り、放射状に延びる幹凹部、及び、幹凹部から幹凸部へと延び、枝凸部と枝凸部との間に位置する枝凹部から構成されている請求項９又は請求項１０に記載の液晶表示装置。
【請求項１３】
画素中心部を通り、画素周辺部に平行な直線のそれぞれをＸ軸、Ｙ軸とした（Ｘ，Ｙ）座標系を想定したとき、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延びる請求項９又は請求項１０に記載の液晶表示装置。
【請求項１４】
画素中心部を通り、画素周辺部に平行な直線のそれぞれをＸ軸、Ｙ軸とした（Ｘ，Ｙ）座標系を想定したとき、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延び、
Ｘ軸と平行な幹凸部から延び、第１象限を占める枝凸部と、Ｘ軸と平行な幹凸部から延び、第４象限を占める枝凸部とは、繋がった状態で形成されており、
Ｙ軸と平行な幹凸部から延び、第１象限を占める枝凸部と、Ｙ軸と平行な幹凸部から延び、第２象限を占める枝凸部とは、繋がった状態で形成されており、
Ｘ軸と平行な幹凸部から延び、第２象限を占める枝凸部と、Ｘ軸と平行な幹凸部から延び、第３象限を占める枝凸部とは、繋がった状態で形成されており、
Ｙ軸と平行な幹凸部から延び、第３象限を占める枝凸部と、Ｙ軸と平行な幹凸部から延び、第４象限を占める枝凸部とは、繋がった状態で形成されている請求項９又は請求項１０に記載の液晶表示装置。
【請求項１５】
画素中心部を通り、画素周辺部に平行な直線のそれぞれをＸ軸、Ｙ軸とした（Ｘ，Ｙ）座標系を想定したとき、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延び、
Ｘ軸と平行な幹凸部から延び、第１象限を占める枝凸部と、Ｘ軸と平行な幹凸部から延び、第４象限を占める枝凸部とは、接合されておらず、
Ｙ軸と平行な幹凸部から延び、第１象限を占める枝凸部と、Ｙ軸と平行な幹凸部から延び、第２象限を占める枝凸部とは、接合されておらず、
Ｘ軸と平行な幹凸部から延び、第２象限を占める枝凸部と、Ｘ軸と平行な幹凸部から延び、第３象限を占める枝凸部とは、接合されておらず、
Ｙ軸と平行な幹凸部から延び、第３象限を占める枝凸部と、Ｙ軸と平行な幹凸部から延び、第４象限を占める枝凸部とは、接合されていない請求項９又は請求項１０に記載の液晶表示装置。
【請求項１６】
画素中心部を通り、画素周辺部に平行な直線のそれぞれをＸ軸、Ｙ軸とした（Ｘ，Ｙ）座標系を想定したとき、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延び、
Ｘ軸と平行な幹凸部から延び、第１象限を占める枝凸部と、Ｘ軸と平行な幹凸部から延び、第４象限を占める枝凸部とは、ずれた状態で形成されており、
Ｙ軸と平行な幹凸部から延び、第１象限を占める枝凸部と、Ｙ軸と平行な幹凸部から延び、第２象限を占める枝凸部とは、ずれた状態で形成されており、
Ｘ軸と平行な幹凸部から延び、第２象限を占める枝凸部と、Ｘ軸と平行な幹凸部から延び、第３象限を占める枝凸部とは、ずれた状態で形成されており、
Ｙ軸と平行な幹凸部から延び、第３象限を占める枝凸部と、Ｙ軸と平行な幹凸部から延び、第４象限を占める枝凸部とは、ずれた状態で形成されている請求項９又は請求項１０に記載の液晶表示装置。
【請求項１７】
下地層の凸部頂面と凹部底面とを結ぶ下地層の側面の少なくとも一部には、透明導電材料層が更に形成されている請求項１、請求項７、請求項８、請求項９及び請求項１０のいずれか１項に記載の液晶表示装置。
【請求項１８】
ブラックマトリクスが設けられており、
画素と画素との間に位置する第１基板の部分の射影像及び画素周辺部の射影像と、ブラックマトリクスの射影像とが重なる請求項１、請求項７、請求項８、請求項９及び請求項１０のいずれか１項に記載の液晶表示装置。
【請求項１９】
第１電極を覆う第１配向膜及び第２電極を覆う第２配向膜を更に備えており、
液晶層に対して所定の電場を印加しつつ、少なくとも第１配向膜を構成する重合性モノマーを反応させることにより液晶分子にプレチルトが付与される請求項１、請求項７、請求項８、請求項９及び請求項１０のいずれか１項に記載の液晶表示装置。
【請求項２０】
第１電極を覆う第１配向膜及び第２電極を覆う第２配向膜を更に備えており、
液晶層に対して所定の電場を印加しつつ、液晶層中に含まれる重合性モノマーを反応させることにより液晶分子にプレチルトが付与される請求項１、請求項７、請求項８、請求項９及び請求項１０のいずれか１項に記載の液晶表示装置。
【発明の詳細な説明】
【技術分野】
【０００１】
本開示は、対向面に電極を有する一対の基板の間に液晶層が封止された液晶表示素子を備えた液晶表示装置に関する。
【背景技術】
【０００２】
近年、液晶テレビジョン受像機やノート型パーソナルコンピュータ、カーナビゲーション装置等の表示モニタとして、液晶表示装置（ＬＣＤ；Liquid Crystal Display）が多く用いられている。この液晶表示装置は、基板間に挟持された液晶層中に含まれる液晶分子の分子配列（配向）によって様々な表示モード（方式）に分類される。表示モードとして、例えば、電圧をかけない状態で液晶分子が捩れて配向しているＴＮ（Twisted Nematic；捩れネマティック）モードがよく知られている。ＴＮモードでは、液晶分子は、正の誘電率異方性、即ち、液晶分子の長軸方向の誘電率が短軸方向に比べて大きい性質を有している。そのため、液晶分子は、基板面に対して平行な面内において、液晶分子の配向方位を順次回転させつつ、基板面に垂直な方向に整列させた構造となっている。
【０００３】
この一方で、電圧をかけない状態で液晶分子が基板面に対して垂直に配向するＶＡ（Vertical Alignment）モードに対する注目が高まっている。ＶＡモードでは、液晶分子は、負の誘電率異方性、即ち、液晶分子の長軸方向の誘電率が短軸方向に比べて小さい性質を有しており、ＴＮモードに比べて広視野角を実現できる。
【０００４】
このようなＶＡモードの液晶表示装置では、電圧が印加されると、基板に対して垂直方向に配向していた液晶分子が、負の誘電率異方性により、基板に対して平行方向に倒れるように応答し、これによって光を透過させる。ところが、基板に対して垂直方向に配向した液晶分子の倒れる方向は任意であるため、電圧印加により液晶分子の配向が乱れ、よって、電圧に対する応答特性を悪化させる要因となっていた。
【０００５】
そこで、電圧印加時における液晶分子の配向を規制する手法として、これまでにも様々な提案がなされている。例えば、ＭＶＡ（Multi-domain Vertical Alignment）方式やＰＶＡ（Patterned Vertical Alignment）方式、あるいは、光配向膜を使用する手法（例えば、特開平５−２３２４７３号参照）が提案されている。ＭＶＡ方式では、スリットやリブ（突起）を用いることにより、配向制御を行いつつ、高視野角を実現する。最近では、この他にも、一方の基板に形成された第１電極（具体的には、画素電極）に複数の微細なスリットを設け、他方の基板に形成された電極（具体的には、対向電極）をスリットの無い、所謂ベタ電極とした構造（ファインスリット構造とも呼ばれる）が提案されている（例えば、特開２００２−３５７８３０号参照）。しかしながら、ファインスリット構造にあっては、微小なライン・アンド・スペースから成るスリットにおいて電界の加わらない部分が存在し、更に、ラインのエッジ近傍において、電圧印加時、液晶分子の配向状態がツイスト構造を取るために、光透過率が低下するといった問題がある。
【０００６】
このような問題を解決するための技術が、即ち、画素電極に、複数の微細なスリットを設ける代わりに凹凸部を形成する技術が、特開２０１１−２３２７３６号に開示されている。ここで、１つの画素において、複数の凹凸部は、Ｘ軸上及びＹ軸上を延びる幹凸部、及び、幹凸部の側辺から画素の周辺部に向かって延びる複数の枝凸部から構成されている。そして、凹凸部を有する第１電極は、例えば、下地層に凹凸を形成し、この下地層上に透明導電材料層を形成することで得ることができる。
【先行技術文献】
【特許文献】
【０００７】
【特許文献１】特開平５−２３２４７３号
【特許文献２】特開２００２−３５７８３０号
【特許文献３】特開２０１１−２３２７３６号
【発明の概要】
【発明が解決しようとする課題】
【０００８】
特開２０１１−２３２７３６号に開示された技術は、ファインスリット構造における上述した問題の発生を効果的に抑制することができる。しかしながら、凹凸部の側面の傾斜が順テーパーである場合、係る順テーパーの凹凸部の側面上の第１電極の部分に対して液晶分子が配向すると、液晶配向状態に影響を及ぼし、光学諸特性が損なわれる虞がある。凹凸部において液晶分子を理想的に配列させるためには、凹凸部の側面は出来る限り垂直であることが好ましい。然るに、凹凸部の側面を出来る限り垂直とした場合、透明導電材料層に所謂段切れが発生する虞がある。そして、段切れが発生すると、第１電極への電圧の印加によって生じる電界が均一ではなくなり、表示画像の品質劣化に繋がり得る。
【０００９】
従って、本開示の目的は、第１電極への電圧の印加によって生じる電界の不均一性発生を回避することができ、表示画像の品質劣化が生じ難い構成、構造を有する液晶表示装置を提供することにある。
【課題を解決するための手段】
【００１０】
上記の目的を達成するための本開示の第１の態様〜第５の態様に係る液晶表示装置は、
第１基板及び第２基板、
第２基板と対向する第１基板の対向面に形成された第１電極、
第１基板と対向する第２基板の対向面に形成された第２電極、並びに、
第１電極及び第２電極の間に設けられ、液晶分子を含む液晶層、
を有する画素が、複数、配列されて成る液晶表示装置であって、
液晶分子にはプレチルトが付与され、
第１電極は、複数の凸部及び凹部を有する下地層、及び、透明導電材料層から成る。
【００１１】
そして、本開示の第１の態様に係る液晶表示装置において、
下地層の凸部頂面には、第１給電部に接続された第１透明導電材料層が形成されており、
下地層の凹部底面には、第２給電部に接続された第２透明導電材料層が形成されている。
【００１２】
また、本開示の第２の態様〜第３の態様に係る液晶表示装置において、
下地層の凸部頂面には、第１透明導電材料層が形成されており、
下地層の凹部底面には、第１透明導電材料層と繋がった第２透明導電材料層が形成されており、
凸部は、画素中心部を通り、放射状（例えば、十文字状）に延びる幹凸部、及び、幹凸部から画素周辺部に向かって延びる複数の枝凸部から構成されており、
凹部は、幹凸部から延び、枝凸部と枝凸部との間に位置し、
凹部には最狭部が存在し（本開示の第２の態様）、あるいは又、
凹部と凸部との間の段差が最も小さくなる領域が存在する（本開示の第３の態様）。
【００１３】
また、本開示の第４の態様〜第５の態様に係る液晶表示装置において、
下地層の凸部頂面には、第１透明導電材料層が形成されており、
下地層の凹部底面には、第１透明導電材料層と繋がった第２透明導電材料層が形成されており、
凸部は、画素周辺部に額縁状に形成された幹凸部、及び、幹凸部から画素内部に向かって延びる複数の枝凸部から構成されており、
凹部は、幹凸部から延び、枝凸部と枝凸部との間に位置し、
凹部には最狭部が存在し（本開示の第４態様）、あるいは又、
凹部と凸部との間の段差が最も小さくなる領域が存在する（本開示の第５の態様）。
【発明の効果】
【００１４】
本開示の第１の態様に係る液晶表示装置において、下地層の凸部頂面には第１給電部に接続された第１透明導電材料層が形成されており、下地層の凹部底面には第２給電部に接続された第２透明導電材料層が形成されているので、第１透明導電材料層及び第２透明導電材料層に確実に電圧を印加することができる。また、本開示の第２の態様〜第５の態様に係る液晶表示装置において、凹部には最狭部が存在し、あるいは又、凹部と凸部との間の段差が最も小さくなる領域が存在するので、あるいは又、凹部における最狭部はフォトリソグラフィ技術における解像度限界設計に基づき形成されるので、凸部頂面に形成された第１透明導電材料層と、凹部底面に形成された第２透明導電材料層とが、画素内において、少なくとも部分的に繋がっている状態を得ることができる。尚、本明細書に記載された効果はあくまで例示であって限定されるものでは無く、また、付加的な効果があってもよい。
【図面の簡単な説明】
【００１５】
【図１】図１は、実施例１の液晶表示装置の模式的な一部断面図である。
【図２】図２は、実施例１の液晶表示装置を構成する第１基板における１画素を上方より眺めた模式図である。
【図３】図３は、実施例１の液晶表示装置を構成する第１基板の変形例における１画素を上方より眺めた模式図である。
【図４】図４は、実施例１の液晶表示装置を構成する第１基板の別の変形例における１画素を上方より眺めた模式図である。
【図５】図５Ａ及び図５Ｂは、それぞれ、実施例１の液晶表示装置において、図２の矢印Ａ−Ａに沿った模式的な端面図、及び、図２の矢印Ｂ−Ｂに沿った模式的な端面図であり、図５Ｃは、図５Ｂの一部を拡大した一部断面図である。
【図６】図６は、実施例２の液晶表示装置を構成する第１基板における１画素を上方より眺めた模式図である。
【図７】図７は、実施例３の液晶表示装置を構成する第１基板における１画素を上方より眺めた模式図である。
【図８】図８は、実施例３の液晶表示装置を構成する１画素分の第１電極の一部分を拡大した模式的な平面図である。
【図９】図９Ａ及び図９Ｂは、それぞれ、実施例３、及び、枝凸部にテーパーが付されていない液晶表示装置の枝凸部における液晶分子の挙動を説明するための模式図である。
【図１０】図１０は、実施例３の液晶表示装置を構成する第１基板の変形例における１画素を上方より眺めた模式図である。
【図１１】図１１は、実施例３の液晶表示装置を構成する第１基板の別の変形例における１画素を上方より眺めた模式図である。
【図１２】図１２は、実施例４の液晶表示装置を構成する第１基板における１画素を上方より眺めた模式図である。
【図１３】図１３は、実施例４の液晶表示装置を構成する第１基板の変形例における１画素を上方より眺めた模式図である。
【図１４】図１４は、実施例４の液晶表示装置を構成する第１基板の別の変形例における１画素を上方より眺めた模式図である。
【図１５】図１５は、実施例５の液晶表示装置を構成する第１基板における１画素を上方より眺めた模式図である。
【図１６】図１６は、実施例５の液晶表示装置を構成する第１基板の変形例における１画素を上方より眺めた模式図である。
【図１７】図１７は、実施例５の液晶表示装置を構成する第１基板の別の変形例における１画素を上方より眺めた模式図である。
【図１８】図１８Ａは、実施例２、実施例５の液晶表示装置における図６（実施例２）、図１５（実施例５）の矢印Ａ−Ａに沿った模式的な端面図であり、図１８Ｂは、図６（実施例２）の矢印Ｂ−Ｂに沿った模式的な端面図であり、図１８Ｃは、実施例３の液晶表示装置における図７の矢印Ａ−Ａに沿った模式的な端面図であり、図１８Ｄは、実施例４の液晶表示装置における図１２の矢印Ａ−Ａに沿った模式的な端面図である。
【図１９】図１９は、実施例６の液晶表示装置を構成する１画素分の第１電極の模式的な平面図である。
【図２０】図２０Ａ及び図２０Ｂは、それぞれ、実施例６の液晶表示装置の変形例を構成する１画素分の第１電極の一部分の模式的な平面図である。
【図２１】図２１Ａ及び図２１Ｂは、それぞれ、実施例６の液晶表示装置の別の変形例を構成する１画素分の第１電極の一部分の模式的な平面図である。
【図２２】図２２は、実施例７の液晶表示装置を構成する１画素分の第１電極の模式的な平面図である。
【図２３】図２３は、実施例８の液晶表示装置を構成する１画素分の第１電極の模式的な平面図である。
【図２４】図２４は、実施例８の液晶表示装置の変形例を構成する１画素分の第１電極の模式的な平面図である。
【図２５】図２５は、実施例９の液晶表示装置の模式的な一部端面図である。
【図２６】図２６は、実施例９の液晶表示装置の変形例の模式的な一部端面図である。
【図２７】図２７は、実施例１０の液晶表示装置を構成する１画素分の第１電極の模式的な平面図である。
【図２８】図２８は、実施例１０の液晶表示装置を構成する１画素分の第１電極の変形例の模式的な平面図である。
【図２９】図２９Ａ及び図２９Ｂは、実施例１０の液晶表示装置における図２７の矢印Ａ−Ａ及び矢印Ｂ−Ｂに沿った第１電極等の模式的な一部端面図であり、図２９Ｃ及び図２９Ｄは、実施例１０の液晶表示装置における図２８の矢印Ｃ−Ｃ及び矢印Ｄ−Ｄに沿った第１電極等の模式的な一部端面図である。
【図３０】図３０Ａ、図３０Ｂ及び図３０Ｃは、それぞれ、実施例１１の液晶表示装置を構成する画素の一部分において、凸部、凹部、中心領域等の配置状態を模式的に示す図、第１電極に設けられたスリット部の配置状態を模式的に示す図、及び、凹凸部とスリット部とを重ね合わせた図である。
【図３１】図３１Ａ、図３１Ｂ及び図３１Ｃは、それぞれ、実施例１１の液晶表示装置を構成する画素の変形例の一部分において、凸部、凹部、中心領域等の配置状態を模式的に示す図、第１電極に設けられたスリット部の配置状態を模式的に示す図、及び、凹凸部とスリット部とを重ね合わせた図である。
【図３２】図３２Ａ、図３２Ｂ及び図３２Ｃは、それぞれ、実施例１１の液晶表示装置を構成する画素の別の変形例の一部分において、凸部、凹部、中心領域等の配置状態を模式的に示す図、第１電極に設けられたスリット部の配置状態を模式的に示す図、及び、凹凸部とスリット部とを重ね合わせた図である。
【図３３】図３３Ａ、図３３Ｂ及び図３３Ｃは、それぞれ、実施例１１の液晶表示装置を構成する画素の更に別の変形例の一部分において、凸部、凹部、中心領域等の配置状態を模式的に示す図、第１電極に設けられたスリット部の配置状態を模式的に示す図、及び、凹凸部とスリット部とを重ね合わせた図である。
【図３４】図３４Ａは、図３０Ｃの矢印Ａ−Ａに沿った模式的な端面図であり、図３４Ｂは、図３１Ｃの矢印Ｂ−Ｂに沿った模式的な端面図であり、図３４Ｃは、図３２Ｃの矢印Ｃ−Ｃに沿った模式的な端面図であり、図３４Ｄは、図３３Ｃの矢印Ｄ−Ｄに沿った模式的な端面図である。
【図３５】図３５Ａ及び図３５Ｂは、それぞれ、実施例１１の液晶表示装置を構成する画素の更に別の変形例の一部分において、凸部、凹部、スリット部等の配置状態を模式的に示す図、及び、図３５Ａの矢印Ｂ−Ｂに沿った第１電極等の模式的な断面図である。
【図３６】図３６Ａ及び図３６Ｂは、それぞれ、実施例１１の液晶表示装置を構成する画素の更に別の変形例の一部分において、凸部、凹部、スリット部等の配置状態を模式的に示す図、及び、図３６Ａの矢印Ｂ−Ｂに沿った第１電極等の模式的な断面図である。
【図３７】図３７は、実施例１２の液晶表示装置を構成する１画素分の第１電極の模式的な平面図である。
【図３８】図３８Ａは、実施例１２の液晶表示装置を構成する１画素の中心領域における第１電極の一部分の模式的な平面図であり、図３８Ｂ及び図３８Ｃは、実施例１２の液晶表示装置を構成する１画素の中心領域における第１電極の一部分の模式的な一部断面図である。
【図３９】図３９Ａ及び図３９Ｂは、それぞれ、実施例１２の液晶表示装置を構成する１画素の中心領域における第１電極の一部分の模式的な平面図である。
【図４０】図４０は、実施例１３の液晶表示装置を構成する１画素分の第１電極の模式的な平面図である。
【図４１】図４１Ａ及び図４１Ｂは、それぞれ、図４０に示す第１電極の模式的な平面図において円形の領域で囲んだ第１電極の一部分を拡大した模式的な平面図である。
【図４２】図４２は、図４０の第１電極の模式的な平面図において円形の領域で囲んだ第１電極の一部分を拡大した模式的な平面図である。
【図４３】図４３は、実施例１４の液晶表示装置における第１電極等の模式的な一部断面図であり、図２の矢印Ａ−Ａに沿った第１電極等の模式的な一部断面図に相当する。
【図４４】図４４Ａは、液晶分子のプレチルトを説明するための模式図であり、図４４Ｂ及び図４４Ｃは、実施例９の液晶表示装置における液晶分子の挙動を示す概念図である。
【図４５】図４５は、図１に示した液晶表示装置の回路構成図である。
【図４６】図４６Ａ及び図４６Ｂは、ＴＦＴ等及び第１電極が形成された第１基板の模式的な一部端面図である。
【図４７】図４７は、枝凸部の形成ピッチ、枝凸部の幅、枝凸部の先端部の幅等を説明するための、枝凸部等の一部の模式的な平面図である。
【図４８】図４８は、枝凸部の形成ピッチ、枝凸部の幅、枝凸部の先端部の幅等を説明するための、枝凸部等の一部の模式的な平面図である。
【発明を実施するための形態】
【００１６】
以下、図面を参照して、実施例に基づき本開示を説明するが、本開示は実施例に限定されるものではなく、実施例における種々の数値や材料は例示である。尚、説明は、以下の順序で行う。
１．本開示の第１の態様〜第４の態様に係る液晶表示装置、全般に関する説明
２．実施例１（本開示の第１の態様、第１−Ａの態様に係る液晶表示装置）
３．実施例２（実施例１の変形、本開示の第１−Ｂの態様に係る液晶表示装置）
４．実施例３（本開示の第２の態様、第３の態様に係る液晶表示装置）
５．実施例４（本開示の第４の態様、第４−Ａの態様、第５の態様、第５−Ａの態様に係る液晶表示装置）
６．実施例５（実施例４の変形、本開示の第４−Ｂの態様、第５−Ｂの態様に係る液晶表示装置）
７．実施例６（実施例４〜実施例５の変形、本開示の第４−Ｃの態様、第５−Ｃの態様に係る液晶表示装置）
８．実施例７（実施例４〜実施例５の別の変形、本開示の第４−Ｄの態様、第５−Ｄの態様に係る液晶表示装置）
９．実施例８（実施例４〜実施例６の変形、本開示の第４−Ｅの態様、第５−Ｅの態様に係る液晶表示装置）
１０．実施例９（実施例１、実施例３、実施例４の変形）
１１．実施例１０（実施例１〜実施例５の変形）
１２．実施例１１（実施例１〜実施例１０の変形、本開示の第６の態様に係る液晶表示装置）
１３．実施例１２（実施例１〜実施例１１の変形、本開示の第７の態様に係る液晶表示装置）
１４．実施例１３（実施例１、実施例４の変形）
１５．実施例１４（実施例１〜実施例１３の変形）、その他
【００１７】
［本開示の第１の態様〜第５の態様に係る液晶表示装置、全般に関する説明］
本開示の第１の態様に係る液晶表示装置にあっては、画素内において、全ての第１透明導電材料層は繋がっており、全ての第２透明導電材料層は繋がっている。また、本開示の第２の態様〜第５の態様に係る液晶表示装置にあっては、幹凸部上に形成された第１透明導電材料層が給電部に接続されている。
【００１８】
そして、本開示の第１の態様に係る液晶表示装置において、
凸部は、画素中心部を通り、放射状（例えば、十文字状）に延びる幹凸部、及び、幹凸部から画素周辺部に向かって延びる複数の枝凸部から構成されており、
凹部は、画素周辺部に額縁状に形成され、凸部を取り囲む幹凹部、及び、幹凹部から延び、枝凸部と枝凸部との間に位置する枝凹部から構成されている形態とすることができる。尚、このような形態を、便宜上、『本開示の第１−Ａの態様に係る液晶表示装置』と呼ぶ場合がある。
【００１９】
あるいは又、本開示の第１の態様に係る液晶表示装置において、
凸部は、画素周辺部に額縁状に形成された幹凸部、及び、幹凸部から画素内部に向かって延びる複数の枝凸部から構成されており、
凹部は、画素中心部を通り、放射状（例えば、十文字状）に延びる幹凹部、及び、幹凹部から画素周辺部に向かって延び、枝凸部と枝凸部との間に位置する枝凹部から構成されている形態とすることができる。尚、このような形態を、便宜上、『本開示の第１−Ｂの態様に係る液晶表示装置』と呼ぶ場合がある。
【００２０】
以上に説明した各種の好ましい形態を含む本開示の第１の態様に係る液晶表示装置において、第１給電部と第２給電部とは共通である構成とすることができ、この場合、共通とされた第１給電部及び第２給電部は画素周辺部に設けられている構成とすることができる。あるいは又、第１給電部は画素中心部に設けられており、第２給電部は画素周辺部に設けられている構成とすることができる。あるいは又、第１給電部及び第２給電部は画素周辺部に設けられている構成とすることができる。
【００２１】
本開示の第１の態様に係る液晶表示装置においては、凸部頂面に形成された第１透明導電材料層と、凹部底面に形成された第２透明導電材料層とが、画素内において、少なくとも部分的に繋がっている形態とすることができる。本開示の第２の態様あるいは第４の態様に係る液晶表示装置においては、凹部の幅は、凹部が幹凸部から延び出す部分で最も狭くなる形態とすることができる。即ち、最狭部は、凹部が幹凸部から延び出す部分である。また、本開示の第３の態様あるいは第５の態様に係る液晶表示装置においては、凹部が幹凸部から延び出す部分で、凹部と凸部との間の段差が最も小さくなっている形態とすることができる。
【００２２】
以上に説明した各種の好ましい形態を含む本開示の第１の態様に係る液晶表示装置において、あるいは又、本開示の第２の態様〜第５の態様に係る液晶表示装置において、
画素中心部を通り、画素周辺部に平行な直線のそれぞれをＸ軸、Ｙ軸とした（Ｘ，Ｙ）座標系を想定したとき、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延びる形態とすることができる。このような、枝凸部の配置状態はマルチドメイン電極構造と呼ばれており、１つの画素内に枝凸部の延びる方向の異なる領域が形成されるため、視野角特性の向上を図ることができる。以下の説明においても同様である。
【００２３】
そして、第１象限を占める複数の枝凸部は、その軸線がＸ軸と４５度を成して延び、第２象限を占める複数の枝凸部は、その軸線がＸ軸と１３５度を成して延び、第３象限を占める複数の枝凸部は、その軸線がＸ軸と２２５度を成して延び、第４象限を占める複数の枝凸部は、その軸線がＸ軸と３１５度を成して延びる形態とすることが好ましいが、これらの値（角度）に限定するものではない。以下においても同様である。
【００２４】
本開示の第４の態様、第５の態様に係る液晶表示装置において、凸部は、更に、幹凸部から、画素中心部を通り、放射状（例えば、十文字状）に延び、枝凸部と繋がった第２幹凸部を有する形態とすることができる。尚、このような形態を、便宜上、『本開示の第４−Ａの態様に係る液晶表示装置』、『本開示の第５−Ａの態様に係る液晶表示装置』と呼ぶ場合がある。凹部の幅は、凹部が第２幹凸部から延び出す部分でも、最も狭くなっている形態とすることができる。
【００２５】
あるいは又、本開示の第４の態様、第５Ａの態様に係る液晶表示装置において、凹部は、画素中心部を通り、放射状（例えば、十文字状）に延びる幹凹部、及び、幹凹部から幹凸部へと延び、枝凸部と枝凸部との間に位置する枝凹部から構成されている形態とすることができる。尚、このような形態を、便宜上、『本開示の第４−Ｂの態様に係る液晶表示装置』、『本開示の第５−Ｂの態様に係る液晶表示装置』と呼ぶ場合がある。
【００２６】
以上に説明した本開示の第４−Ａの態様、第４−Ｂの態様、第５−Ａの態様、第５−Ｂの態様に係る液晶表示装置を含む本開示の第４の態様、第５の態様に係る液晶表示装置においては、前述したとおり、画素中心部を通り、画素周辺部に平行な直線のそれぞれをＸ軸、Ｙ軸とした（Ｘ，Ｙ）座標系を想定したとき、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延びる形態とすることができる。
【００２７】
あるいは又、本開示の第４の態様、第５の態様に係る液晶表示装置において、
画素中心部を通り、画素周辺部に平行な直線のそれぞれをＸ軸、Ｙ軸とした（Ｘ，Ｙ）座標系を想定したとき、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延び、
Ｘ軸と平行な幹凸部から延び、第１象限を占める枝凸部と、Ｘ軸と平行な幹凸部から延び、第４象限を占める枝凸部とは、繋がった状態で形成されており、
Ｙ軸と平行な幹凸部から延び、第１象限を占める枝凸部と、Ｙ軸と平行な幹凸部から延び、第２象限を占める枝凸部とは、繋がった状態で形成されており、
Ｘ軸と平行な幹凸部から延び、第２象限を占める枝凸部と、Ｘ軸と平行な幹凸部から延び、第３象限を占める枝凸部とは、繋がった状態で形成されており、
Ｙ軸と平行な幹凸部から延び、第３象限を占める枝凸部と、Ｙ軸と平行な幹凸部から延び、第４象限を占める枝凸部とは、繋がった状態で形成されている形態とすることができる。尚、このような形態を、便宜上、『本開示の第４−Ｃの態様に係る液晶表示装置』、『本開示の第５−Ｃの態様に係る液晶表示装置』と呼ぶ場合がある。本開示の第４−Ｃの態様、第５−Ｃの態様に係る液晶表示装置にあっては、本開示の第４−Ａの態様、第４−Ｂの態様、第５−Ａの態様、第５−Ｂの態様に係る液晶表示装置と異なり、第２幹凸部や幹凹部は設けられていない。
【００２８】
本開示の第４−Ｃの態様、第５−Ｃの態様に係る液晶表示装置において、２つの枝凸部の接合部には、画素の周辺部方向に向かって延びる突出部が設けられている構成とすることができる。ここで、突出部は、複数の線分によって囲まれている構成とすることができるし、１本の曲線によって囲まれている構成とすることもできるし、複数の曲線によって囲まれている構成とすることもできるし、線分と曲線との組合せによって囲まれている構成とすることもできる。突出部の先端は、画素の周辺部方向において隣接する２つの枝凸部の接合部と接していてもよい。但し、接する部分が長い状態の液晶表示装置は、実質的に、本開示の第４−Ａの態様、第５−Ａの態様に係る液晶表示装置に該当する。
【００２９】
あるいは又、本開示の第４の態様、第５の態様に係る液晶表示装置において、
画素中心部を通り、画素周辺部に平行な直線のそれぞれをＸ軸、Ｙ軸とした（Ｘ，Ｙ）座標系を想定したとき、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延び、
Ｘ軸と平行な幹凸部から延び、第１象限を占める枝凸部と、Ｘ軸と平行な幹凸部から延び、第４象限を占める枝凸部とは、接合されておらず、
Ｙ軸と平行な幹凸部から延び、第１象限を占める枝凸部と、Ｙ軸と平行な幹凸部から延び、第２象限を占める枝凸部とは、接合されておらず、
Ｘ軸と平行な幹凸部から延び、第２象限を占める枝凸部と、Ｘ軸と平行な幹凸部から延び、第３象限を占める枝凸部とは、接合されておらず、
Ｙ軸と平行な幹凸部から延び、第３象限を占める枝凸部と、Ｙ軸と平行な幹凸部から延び、第４象限を占める枝凸部とは、接合されていない形態とすることができる。尚、このような形態を、便宜上、『本開示の第４−Ｄの態様に係る液晶表示装置』、『本開示の第５−Ｄの態様に係る液晶表示装置』と呼ぶ場合がある。
【００３０】
あるいは又、本開示の第４の態様、第５の態様に係る液晶表示装置において、
画素中心部を通り、画素周辺部に平行な直線のそれぞれをＸ軸、Ｙ軸とした（Ｘ，Ｙ）座標系を想定したとき、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延び、
Ｘ軸と平行な幹凸部から延び、第１象限を占める枝凸部と、Ｘ軸と平行な幹凸部から延び、第４象限を占める枝凸部とは、ずれた状態で形成されており、
Ｙ軸と平行な幹凸部から延び、第１象限を占める枝凸部と、Ｙ軸と平行な幹凸部から延び、第２象限を占める枝凸部とは、ずれた状態で形成されており、
Ｘ軸と平行な幹凸部から延び、第２象限を占める枝凸部と、Ｘ軸と平行な幹凸部から延び、第３象限を占める枝凸部とは、ずれた状態で形成されており、
Ｙ軸と平行な幹凸部から延び、第３象限を占める枝凸部と、Ｙ軸と平行な幹凸部から延び、第４象限を占める枝凸部とは、ずれた状態で形成されている形態とすることができる。尚、このような形態を、便宜上、『本開示の第４−Ｅの態様に係る液晶表示装置』、『本開示の第５−Ｅの態様に係る液晶表示装置』と呼ぶ場合がある。
【００３１】
このように、枝凸部と枝凸部とを接合されていない状態で形成することで、あるいは又、ずれた状態で形成することで、画素の中心における第１電極によって生成された電場が画素の中心の近傍において所望の状態に歪み、液晶分子の倒れる方向が規定される。そして、これらの結果として、画素の中心の近傍における液晶分子に対する配向規制力を強くすることができ、画素の中心の近傍における液晶分子のチルト状態を確実に規定することができる。こうして、液晶表示装置の製造時、液晶分子にプレチルトを付与するために液晶層を所望の電場に所定の時間、暴露するが、所望の電場に暴露された液晶分子の配向が安定するまでに要する時間を短縮することができる。即ち、短時間にて液晶分子にプレチルトを付与することが可能となり、液晶表示装置の製造時間の短縮化を図ることができる。
【００３２】
本開示の第４−Ｅの態様、第５−Ｅの態様に係る液晶表示装置において、Ｘ軸に沿った枝凸部の形成ピッチをＰXとし、Ｙ軸に沿った枝凸部の形成ピッチをＰYとしたとき、
Ｘ軸と平行な幹凸部から延び、第１象限を占める枝凸部と、Ｘ軸と平行な幹凸部から延び、第４象限を占める枝凸部とは、相互に（ＰX／２）ずれた状態で形成されており、
Ｙ軸と平行な幹凸部から延び、第１象限を占める枝凸部と、Ｙ軸と平行な幹凸部から延び、第２象限を占める枝凸部とは、相互に（ＰY／２）ずれた状態で形成されており、
Ｘ軸と平行な幹凸部から延び、第２象限を占める枝凸部と、Ｘ軸と平行な幹凸部から延び、第３象限を占める枝凸部とは、相互に（ＰX／２）ずれた状態で形成されており、
Ｙ軸と平行な幹凸部から延び、第３象限を占める枝凸部と、Ｙ軸と平行な幹凸部から延び、第４象限を占める枝凸部とは、相互に（ＰY／２）ずれた状態で形成されている形態とすることが好ましい。
【００３３】
また、本開示の第４−Ｃの態様、第４−Ｄの態様、第４−Ｅの態様、第５−Ｃの態様、第５−Ｄの態様あるいは第５−Ｅの態様に係る液晶表示装置においては、Ｘ軸と平行に延びる枝凸部の部分、あるいは、Ｙ軸と平行に延びる枝凸部の部分が存在しないか、存在しても、非常に短い長さである。従って、液晶分子の配向の方向を枝凸部の延びる方向に出来る限り一致させることができ、Ｘ軸及びＹ軸に対応した領域における暗線の発生を抑制することができる結果、一層均一な高い光透過率を実現することが可能な液晶表示装置を提供することができる。また、短時間にて液晶分子にプレチルトを付与することを可能とする構成、構造を有する液晶表示装置を提供することができる。
【００３４】
以上に説明した各種の好ましい形態、構成を含む本開示の第１の態様〜第５の態様に係る液晶表示装置において、下地層の凸部頂面と凹部底面とを結ぶ下地層の側面の少なくとも一部には、透明導電材料層が更に形成されている形態とすることができる。
【００３５】
更には、以上に説明した各種の好ましい形態、構成を含む本開示の第１の態様〜第５の態様に係る液晶表示装置において、
ブラックマトリクスが設けられており、
画素と画素との間に位置する第１基板の部分の射影像及び画素周辺部の射影像と、ブラックマトリクスの射影像とが重なる形態とすることができる。
【００３６】
更には、以上に説明した各種の好ましい形態、構成を含む本開示の第１の態様〜第５の態様に係る液晶表示装置において、
第１電極を覆う第１配向膜及び第２電極を覆う第２配向膜を更に備えており、
液晶層に対して所定の電場を印加しつつ、少なくとも第１配向膜を構成する重合性モノマー（配向制御材料）を反応させることにより液晶分子にプレチルトが付与される形態とすることができる。あるいは又、以上に説明した各種の好ましい形態、構成を含む本開示の第１の態様〜第５の態様に係る液晶表示装置において、
第１電極を覆う第１配向膜及び第２電極を覆う第２配向膜を更に備えており、
液晶層に対して所定の電場を印加しつつ、液晶層中に含まれる重合性モノマー（配向制御材料）を反応させることにより液晶分子にプレチルトが付与される形態とすることができる。
【００３７】
本開示の第１−Ａの態様に係る液晶表示装置、本開示の第２の態様に係る液晶表示装置、第３の態様に係る液晶表示装置において、幹凸部は、画素中心部を通り、放射状（例えば、十文字状）に延びるが、幹凸部は、具体的には、例えば、Ｘ軸及びＹ軸と平行に延びる形態とすることができる。本開示の第４−Ａの態様に係る液晶表示装置、本開示の第５−Ａの態様に係る液晶表示装置において、第２幹凸部は、幹凸部から、画素中心部を通り、放射状（例えば、十文字状）に延びるが、第２幹凸部は、具体的には、例えば、Ｘ軸及びＹ軸と平行に延びる形態とすることができる。本開示の第１−Ｂの態様に係る液晶表示装置、本開示の第４−Ｂの態様に係る液晶表示装置、本開示の第５−Ｂの態様に係る液晶表示装置において、幹凹部は、画素中心部を通り、放射状（例えば、十文字状）に延びるが、幹凹部は、具体的には、例えば、Ｘ軸及びＹ軸と平行に延びる形態とすることができる。
【００３８】
そして、これらの場合、第１配向膜の平均膜厚をＴ1、第２配向膜の平均膜厚をＴ2としたとき、
０．５≦Ｔ2／Ｔ1≦１．５
望ましくは、
０．８≦Ｔ2／Ｔ1≦１．２
を満足することが好ましい。ここで、配向膜の平均膜厚とは、１画素（あるいは、１副画素）を占める配向膜の体積を、１画素（あるいは、１副画素）の面積で除した値である。このように、Ｔ2／Ｔ1の値を規定することで、即ち、第１配向膜の平均膜厚と第２配向膜の平均膜厚とを、等しく、あるいは又、概ね等しくすることで、焼付き等の発生を確実に防止することができる。
【００３９】
本開示の第２の態様あるいは第４の態様に係る液晶表示装置における凹部の最小幅として、０．１μｍ乃至２μｍを例示することができるが、これに限定するものではない。また、本開示の第３の態様あるいは第５の態様に係る液晶表示装置の好ましい形態においては、例えば、凹部が幹凸部から延び出す部分で凹部と凸部との間の段差が最も小さくなっている。即ち、凹部が幹凸部から延び出す部分における凹部の深さが最も浅く、幹凸部から離れるに従い、凹部の深さは深くなり、或る程度（例えば、凹部の全体の長さの２０％乃至８０％）、幹凸部から離れると、凹部の深さは一定となる。本開示の第３の態様あるいは第５の態様に係る液晶表示装置において、（最小段差の値／最大段差の値）の割合として、０≦（最小段差の値／最大段差の値）≦０．５を例示することができるし、あるいは又、最小段差の値として、５ｎｍ乃至０．０５μｍを例示することができる。本開示の第２の態様あるいは第４の態様に係る液晶表示装置における最狭部の形成（例えば、幹凸部から延び出す凹部の部分で幅が最も狭くなっている状態の形成）や、本開示の第３の態様あるいは第５の態様に係る液晶表示装置における凹部と凸部との間の段差が最も小さくなる領域の形成（例えば、凹部が幹凸部から延び出す部分で凹部と凸部との間の段差が最も小さくなっている状態の形成）は、所謂マイクロローディング効果と呼ばれる現象によって達成することができるし、あるいは又、ハーフトーン構造を有するフォトマスクを用いた露光法といったフォトリソグラフィ技術における解像度限界設計に基づき達成することができる。
【００４０】
本開示の第１−Ａの態様、第２の態様、第３の態様、第４−Ａの態様、第５−Ａの態様に係る液晶表示装置において、幹凸部あるいは第２幹凸部と対応する第２電極の部分には配向規制部が形成されている形態とすることができる。幹凸部あるいは第２幹凸部と対応する第２電極の部分に配向規制部を形成することで、第２電極によって生成された電場が配向規制部近傍において歪み、あるいは又、配向規制部近傍における液晶分子の倒れる方向が規定される。その結果、配向規制部近傍における液晶分子に対する配向規制力を強くすることができ、配向規制部近傍における液晶分子のチルト状態を確実に規定することができる。それ故、画像表示時、幹凸部あるいは第２幹凸部に対応する画像の部分に暗線が発生するといった問題の発生を確実に抑制することができる。即ち、良好な電圧応答特性を保持しつつ、一層均一な高光透過率を実現することができる液晶表示装置を提供することができるし、バックライトを構成する光源のコスト低減、低消費電力化を図ることができ、また、ＴＦＴの信頼性の向上を図ることもできる。
【００４１】
ここで、配向規制部は、第２電極に設けられた第２電極スリット構造から成る形態とすることができるし、あるいは又、第２電極に設けられた第２電極突起部から成る形態とすることができるし、あるいは又、突起状になった第２電極の部分から構成することもできる。第２電極突起部は、例えば、レジスト材料から成り、その上には第２電極は形成されていない。突起状になった第２電極の部分を設けるためには第２電極の下側に凸部を形成すればよいし、あるいは又、第１電極における凸部形成方法と同様の方法で突起状になった第２電極の部分を設けることも可能である。第２電極スリット構造あるいは第２電極突起部、突起状になった第２電極の部分の幅は幹凸部あるいは第２幹凸部の幅よりも狭いことが望ましい。
【００４２】
また、本開示の第１−Ａの態様、第１−Ｂの態様、第２の態様、第３の態様、第４−Ａの態様、第４−Ｂの態様、第４−Ｅの態様、第５−Ａの態様、第５−Ｂの態様あるいは第５−Ｅの態様に係る液晶表示装置において、第１電極には、画素中心部を通り、画素周辺部に平行な第１電極スリット構造あるいは第１電極突起部が形成されている形態とすることができる。画素中心部を通り、画素周辺部に平行な第１電極スリット構造あるいは第１電極突起部を第１電極に形成することで、即ち、幹凸部や第２幹凸部、幹凹部に第１電極スリット構造や第１電極突起部を形成することで、第１電極スリット構造あるいは第１電極突起部が存在しない平坦な凹部が第１電極に形成されている場合と比較して、第１電極によって生成された電場が第１電極スリット構造近傍において歪み、あるいは又、第１電極突起部近傍における液晶分子の倒れる方向が規定される。その結果、第１電極スリット構造あるいは第１電極突起部近傍における液晶分子に対する配向規制力を強くすることができ、第１電極スリット構造あるいは第１電極突起部近傍における液晶分子のチルト状態を確実に規定することができる。それ故、画像表示時、幹凸部や第２幹凸部、幹凹部に対応する画像の部分に暗線が発生するといった問題の発生を確実に抑制することができる。即ち、良好な電圧応答特性を保持しつつ、一層均一な高光透過率を実現することができる液晶表示装置を提供することができるし、バックライトを構成する光源のコスト低減、低消費電力化を図ることができ、また、ＴＦＴの信頼性の向上を図ることもできる。
【００４３】
第１電極突起部は、例えば、レジスト材料から成り、その上には第１電極は形成されていない。あるいは又、第１電極には、画素中心部を通る放射状（例えば、十文字状）の凸部が凹部に囲まれて形成されている形態とすることができる。このような放射状の凸部は、第１電極の下側に放射状の凸部を形成することで設けることができるし、あるいは又、第１電極における凸部の形成方法と同様の方法で設けることも可能である。あるいは又、第１電極スリット構造若しくは第１電極突起部（リブ）を設ける代わりに、画素中心部を通る放射状（例えば、十文字状）の凹部を設けてもよい。
【００４４】
尚、第１電極スリット構造や第１電極突起部（リブ）と、配向規制部とを組み合わせることもできる。
【００４５】
以上に説明した好ましい形態、構成を含む本開示の第１の態様〜第５の態様に係る液晶表示装置において、画素と画素との間に位置する第１基板の部分から、画素周辺部に対応する第１基板の部分に亙り、凸構造が形成されており、凸部及び凹部（これらを総称して、『凹凸部』と呼ぶ場合がある）の周辺部は凸構造上に形成されている構成とすることができる。このように、凹凸部の周辺部を凸構造上に形成すれば、凹凸部の周辺部が平坦な場合と比べて、より一層強い電場が凹凸部の周辺部に生じる。その結果、凹凸部の周辺部における液晶分子に対する配向規制力を強くすることができ、凹凸部の周辺部における液晶分子のチルト状態を確実に規定することができる。それ故、良好な電圧応答特性を保持することができる。凸構造は、周知の材料から構成されたブラックマトリクスに基づき形成されている形態とすることができる。
【００４６】
あるいは又、以上に説明した好ましい形態、構成を含む本開示の第１の態様〜第５の態様に係る液晶表示装置において、第１電極に設けられた枝凸部の幅は、先端部に向かって狭くなっている構成とすることができる。このように、第１電極に設けられた枝凸部の幅を、先端部に向かって狭くすることによって、暗線の発生を一層少なくすることができる。即ち、一層均一な高い光透過率を実現することができ、暗線の発生を抑制することができる。枝凸部の幅は、幹凸部と接合する枝凸部の部分が最も広く、幹凸部と接合する部分から先端部に向かって狭くなっている形態とすることができる。幹凸部と接合する部分から先端部までの枝凸部の対向する２つの辺を、便宜上、『側辺』と呼ぶ。
【００４７】
そして、これらの形態において、枝凸部の幅は、幹凸部と接合する部分から先端部に向かって直線状に狭くなっている形態（枝凸部を構成する各側辺が１本の線分から構成され、幅の変化率が一定である形態）とすることができるが、これに限定するものではなく、曲線状に狭くなっている形態（枝凸部を構成する各側辺が１本の滑らかな曲線から構成され、幅の変化率が変化する形態）とすることもできるし、枝凸部を構成する各側辺が２本以上の線分あるいは曲線から構成されている形態とすることもできるし、階段状に狭くなっている形態（枝凸部を構成する各側辺が階段状である形態）とすることもできる。
【００４８】
以上に説明した好ましい形態、構成を含む本開示の第１−Ａの態様、第２の態様、第３の態様に係る液晶表示装置において、枝凸部と接合していない幹凸部の側辺部分の延びる方向は、Ｘ軸とは平行でなく、且つ、Ｙ軸とは平行でない構成とすることができるし、本開示の第４−Ａの態様、第４−Ｅの態様、第５−Ａの態様、第５−Ｅの態様に係る液晶表示装置において、枝凸部と接合していない第２幹凸部の側辺部分の延びる方向は、Ｘ軸とは平行でなく、且つ、Ｙ軸とは平行でない構成とすることができる。即ち、枝凸部と接合していない幹凸部あるいは第２幹凸部の側辺部分の延びる方向は、Ｘ軸及びＹ軸と異なる方向である。このような構成を採用することで、Ｘ軸及びＹ軸に対応した領域における暗線の発生を抑制することができる結果、一層均一な高い光透過率を実現することが可能な液晶表示装置を提供することができる。また、短時間にて液晶分子にプレチルトを付与することを可能とする構成、構造を有する液晶表示装置を提供することができる。
【００４９】
枝凸部と接合していない幹凸部の側辺部分は、直線状及び／又は曲線状である形態、即ち、直線状である形態、あるいは又、曲線状である形態、あるいは又、直線状と曲線状の組合せである形態とすることができる。あるいは又、枝凸部と接合していない幹凸部の部分の幅は、幹凸部の先端部に向かって狭くなっている形態とすることができる。
【００５０】
以上に説明した好ましい形態、構成を含む本開示の第１の態様〜第５の態様に係る液晶表示装置において、第１電極には、更に、スリット部が形成されている形態とすることができる。即ち、第１電極には、凸部、凹部及びスリット部が形成されている。スリット部には、第１電極を構成する透明導電材料層は形成されていない。尚、このような構成を、便宜上、『本開示の第６の態様に係る液晶表示装置』と呼ぶ。このように、スリット部を設けることで、第１電極によって生成された電場がスリット部近傍において歪み、液晶分子の倒れる方向が強く規定される。その結果、スリット部近傍における液晶分子に対する配向規制力を強くすることができ、スリット部近傍における液晶分子のチルト状態を確実に規定することができる。スリット部だけでなく、凸部及び凹部も設けられているので、従来のファインスリット構造における問題点は発生することがない。
【００５１】
本開示の第６の態様に係る液晶表示装置において、液晶表示装置の構成にも依るが、スリット部を凹部領域に形成してもよいが、スリット部は凸部領域に形成されている構成とすることがより好ましい。そして、このような構成において、スリット部は、画素の中心領域（中央部分）を含む凸部領域に設けられている構成とすることができるし、あるいは又、画素の中心領域に向かって延びる凸部領域に形成されている構成とすることができるし、あるいは又、画素の中心領域に向かって延びる枝凸部とＹ軸とによって挟まれた領域に設けられた凸部領域に形成されている構成とすることができる。スリット部の幅として、１μｍ乃至４μｍ、好ましくは、２μｍ乃至３μｍを例示することができる。以下におけるスリット部の説明においても同様である。
【００５２】
あるいは又、凸部の頂部には、凸部と平行に延びるスリット部が形成されている構成とすることもできるし、凹部の底部には、凹部と平行に延びるスリット部が形成されている構成とすることもできる。そして、これらの場合、凸部の全てにスリット部が形成されていてもよいし、凸部の一部にスリット部が形成されていてもよい。凸部の一部にスリット部を形成する場合、画素の中心領域（中央部分）及びその近傍の凸部にスリット部を形成することが望ましい。また、凹部の全てにスリット部が形成されていてもよいし、凹部の一部にスリット部が形成されていてもよい。凹部の一部にスリット部を形成する場合、画素の中心領域（中央部分）及びその近傍の凹部にスリット部を形成することが望ましい。あるいは又、凸部の頂部には、凸部と平行に延びるスリット部が形成されており、凹部の底部には、凹部と平行に延びるスリット部が形成されている構成とすることもでき、この場合、凸部の全てにスリット部が形成されていてもよいし、凸部の一部にスリット部が形成されていてもよい。また、凹部の全てにスリット部が形成されていてもよいし、凹部の一部にスリット部が形成されていてもよい。凸部の頂面のスリット部が設けられていない部分には、第１電極が形成されているし、凹部の底部のスリット部が設けられていない部分には、第１電極が形成されている。スリット部によって他の凸部から孤立した凸部が形成されないように、あるいは又、スリット部によって他の凹部から孤立した凹部が形成されないように、スリット部を形成する必要があるが、１つ画素が複数の領域に分割され、各領域が独立して駆動される、所謂マルチ画素駆動方式の表示装置にあっては、各領域内において、スリット部によって他の凸部から孤立した凸部が形成されないように、あるいは又、スリット部によって他の凹部から孤立した凹部が形成されないように、スリット部を形成すればよい。凸部の頂面にスリット部を設ける場合、凸部の幅とスリット部の幅として、
０．２≦（スリット部の幅／凸部の幅）≦０．８
を例示することができるし、凹部の底面にスリット部を設ける場合、凹部の幅とスリット部の幅として、
０．２≦（スリット部の幅／凹部の幅）≦０．８
を例示することができる。以下におけるスリット部の説明においても同様である。
【００５３】
あるいは又、以上に説明した好ましい形態、構成を含む本開示の第１の態様〜第６の態様に係る液晶表示装置において、画素の中心領域における第１電極には窪みが設けられている構成とすることができる。即ち、第１電極には、凸部、凹部及び窪みが形成されている。窪みには、第１電極を構成する透明導電材料層が形成されている。尚、このような構成を、便宜上、『本開示の第７の態様に係る液晶表示装置』と呼ぶ。このように、窪みを設けることで、窪みの近傍に位置する液晶分子は、画素の中心に向かって倒れる状態となる。ここで、窪みは第１基板に向かって窄まっている構成とすることができる。即ち、窪みは、所謂、順テーパーの斜面を有する構成とすることができる。但し、これに限定するものではなく、垂直面を有している構成とすることもできる。そして、窪みが第１基板に向かって窄まっている構成において、窪みの傾斜角は、５度乃至６０度、好ましくは２０度乃至３０度である構成とすることができる。窪みの外縁の形状を、円形とすることができるし、あるいは又、矩形とすることができる。後者の場合、矩形形状の窪みの外縁と凸部の延びる方向との成す角度（矩形形状の窪みの外縁と、この外縁と凸部の延長部が交わる凸部の延びる方向との成す角度）は、９０度であってもよいし、鋭角であってもよい。窪みの外縁の形状は、これらに限定されず、液晶分子を画素の中心に向けて倒せる構造であれば如何なる形状であってもよい。また、窪みの中心部はコンタクトホールの一部を構成する構成とすることができる。
【００５４】
枝凸部及び凹部の平均幅として、１μｍ乃至２０μｍ、好ましくは２μｍ乃至１０μｍを例示することができる。枝凸部及び凹部の平均幅が１μｍ未満では、枝凸部及び凹部の形成が困難となり、十分なる製造歩留りの確保できなくなる虞がある。一方、枝凸部及び凹部の平均幅が２０μｍを越えると、駆動電圧を第１電極及び第２電極に印加したとき、第１電極と第２電極との間に良好なる斜め電界が生じ難くなる虞がある。幹凸部の平均幅として、２×１０-6ｍ乃至２×１０-5ｍ、好ましくは４×１０-6ｍ乃至１．５×１０-5ｍを例示することができる。凹部から凸部までの平均高さとして、５×１０-8ｍ乃至１×１０-6ｍ、好ましくは１×１０-7ｍ乃至５×１０-7ｍを例示することができる。そして、これによって、良好な配向制御が可能となり、十分な製造歩留りを確保できると共に、光透過率の低下、プロセス時間の延長を防ぐことができる。
【００５５】
あるいは又、枝凸部及び凹部の最小幅及び最大幅として、１μｍ及び２５μｍ、好ましくは２μｍ及び２０μｍを例示することができる。枝凸部及び凹部の最小幅が１μｍ未満では、枝凸部及び凹部の形成が困難となり、十分なる製造歩留りの確保できなくなる虞がある。一方、枝凸部及び凹部の最大幅が２５μｍを越えると、駆動電圧を第１電極及び第２電極に印加したとき、第１電極と第２電極との間に良好なる斜め電界が生じ難くなる虞がある。幹凸部の幅として、２×１０-6ｍ乃至２×１０-5ｍ、好ましくは４×１０-6ｍ乃至１．５×１０-5ｍを例示することができる。凹部から凸部までの平均高さとして、５×１０-8ｍ乃至１×１０-6ｍ、好ましくは１×１０-7ｍ乃至１×１０-6ｍ、より好ましくは２×１０-7ｍ乃至６×１０-7ｍを例示することができる。そして、これによって、良好な配向制御が可能となり、十分な製造歩留りを確保できると共に、光透過率の低下、プロセス時間の延長を防ぐことができる。
【００５６】
本開示の第４−Ｄの態様、第５−Ｄの態様に係る液晶表示装置を除き、本開示の第１の態様〜第５の態様に係る液晶表示装置において、枝凸部は、Ｘ軸に対して線対称であり、Ｙ軸に対しても線対称であることが好ましく、あるいは又、本開示の第１の態様〜第５の態様に係る液晶表示装置において、枝凸部は、画素の中心に対して１８０度の回転対称（点対称）であることが好ましい。
【００５７】
以上に説明した好ましい形態、構成を含む本開示の第１の態様〜第７の態様に係る液晶表示装置において、上述したとおり、枝凸部の幅は、幹凸部と接合する枝凸部の部分、あるいは又、Ｘ軸あるいはその近傍、Ｙ軸あるいはその近傍の枝凸部の部分（便宜上、『枝凸部の根元部』と呼ぶ）が最も広く、画素の周辺部に向かって、即ち、枝凸部の先端部に向かって狭くなっている形態とすることができる。ここで、枝凸部の形成ピッチを「Ｐ」、枝凸部の根元部の幅を「Ｗ1」、枝凸部の先端部の幅を「Ｗ2」とする。図４７及び図４８に示すように、幹凸部と枝凸部とが接合する幹凸部の縁部と、枝凸部の一方のエッジ部（側辺エッジ部）の成す角度（あるいは又、Ｘ軸あるいはＹ軸と、枝凸部の一方のエッジ部（側辺エッジ部）の成す角度）をα1、幹凸部と枝凸部とが接合する幹凸部の外縁と、枝凸部の他方の側辺エッジ部の成す角度（あるいは又、Ｘ軸あるいはＹ軸と、枝凸部の他方の側辺エッジ部の成す角度）をα2としたとき、幹凸部の外縁近傍における、枝凸部の軸線Ｌ0と幹凸部の外縁との成す角度（あるいは又、Ｘ軸あるいはＹ軸と枝凸部の軸線Ｌ0との成す角度）α0は、
α0＝｛α1＋（１８０−α2）｝／２
で表すことができる。但し、０＜α1≦９０度、９０≦α2＜１８０度とする。そして、このような場合、幹凸部の外縁と枝凸部の一方の側辺エッジ部の交点（あるいは又、Ｘ軸あるいはＹ軸と枝凸部の一方の側辺エッジ部の交点）をｗ11とし、Ｘ軸あるいはＹ軸と枝凸部の他方の側辺エッジ部の交点をｗ’11とし、交点ｗ11を通り、枝凸部の軸線Ｌ0と直交する直線Ｌ1が枝凸部の他方の側辺エッジ部と交わる点をｗ12としたとき、交点ｗ11から交点ｗ12までの距離を、枝凸部の根元部の幅Ｗ1と定義する。また、枝凸部の軸線Ｌ0と直交する直線であって、枝凸部の先端部と接する直線Ｌ2と、枝凸部の一方の側辺エッジ部との交点（あるいは枝凸部の一方の側辺エッジ部延長線との交点）をｗ21、直線Ｌ2と、枝凸部の他方の側辺エッジ部との交点（あるいは枝凸部の他方の側辺エッジ部延長線との交点）をｗ22としたとき、交点ｗ21から交点ｗ22までの距離を、枝凸部の先端部の幅をＷ2と定義する。尚、図４８において、側辺エッジ部延長線を一点鎖線で示す。更には、隣接する枝凸部の軸線Ｌ0の間の距離を、枝凸部の形成ピッチＰと定義する。また、交点ｗ’11を通り、直線Ｌ1と平行な直線Ｌ3が、枝凸部の他方の側辺エッジ部と対向する（隣接する）枝凸部の一方の側辺エッジ部と交わる点をｗ31とするとき、交点ｗ’11から交点ｗ31までの距離を、枝凸部の間の距離Ｗ3と定義する。枝凸部の全テーパー幅ＴＰは、
ＴＰ  ＝Ｗ1−Ｗ2
と定義することができる。また、枝凸部の平均幅Ｗave1、凹部の平均幅Ｗave2は、
Ｗave1＝（Ｗ1＋Ｗ2）／２
Ｗave2＝Ｐ−Ｗave1
で表すことができる。ここで、Ｗ3の値として、１μｍ乃至１０μｍ、好ましくは２μｍ乃至５μｍを挙げることができるし、Ｗ2の値として、１μｍ乃至１０μｍ、好ましくは２μｍ乃至５μｍを挙げることができるし、Ｐの値として、２μｍ乃至２０μｍ、好ましくは２μｍ乃至１０μｍを挙げることができる。また、ＴＰの値として、Ｗ3の０．１倍乃至１０倍を例示することができる。尚、これらの値は、長さの最も長い枝凸部に対して適用すればよい。
【００５８】
本開示の第２の態様と第３の態様を組み合わせることができるし、本開示の第４の態様と第５の態様を組み合わせることができる。また、本開示の第１の態様と第２の態様を組み合わせることができるし、本開示の第１の態様と第３の態様を組み合わせることができるし、本開示の第１の態様と第４の態様を組み合わせることができるし、本開示の第１の態様と第５の態様を組み合わせることができる。
【００５９】
以上に説明した各種の好ましい形態、構成を含む本開示の第１の態様〜第７の態様に係る液晶表示装置（以下、これらを総称して、単に、『本開示の液晶表示装置等』と呼ぶ場合がある）において、液晶分子は負の誘電率異方性を有する形態とすることができる。
【００６０】
本開示の液晶表示装置等あるいは液晶表示素子は、
第１基板に第１電極を形成し、第２基板と対向する第１基板の対向面上、及び、第１電極上に、第１配向膜を形成する工程と、
第２基板に第２電極を形成し、第１基板と対向する第２基板の対向面上、及び、第２電極上に、第２配向膜を形成する工程と、
第１基板及び第２基板を、第１配向膜と第２配向膜とが対向するように配置し、第１配向膜と第２配向膜との間に液晶層を封止する工程と、
所定の電場を印加して液晶分子を配向させる工程、
とを具備する液晶表示装置あるいは液晶表示素子の製造方法によって得ることができる。
【００６１】
そして、この場合、液晶分子を一対の基板の少なくとも一方の基板の表面に対して斜め方向に配列させるように、電場を印加することが好ましい。尚、基本的に、プレチルトが付与されるときの液晶分子の方位角（偏角）は、電場の強さと方向によって規定され、極角（天頂角）は、電場の強さによって規定される。場合によっては、プレチルトが付与されるときの液晶分子の方位角（偏角）、極角（天頂角）は、更に、配向膜材料の分子構造によっても規定され得る。
【００６２】
所定の電場を印加して液晶分子を配向させる工程は、液晶分子と重合性モノマー（配向制御材料）とを含む液晶層に対して所定の電場を印加しつつ、配向制御材料を反応させることで、液晶分子を配向させ、プレチルトを付与する工程から成る。このような液晶表示装置の製造方式は、ＰＳＡ方式（Polymer Stabilized Alignment方式）と呼ばれる。あるいは又、所定の電場を印加して液晶分子を配向させる工程は、少なくとも一方の基板の対向面及び電極上に重合性モノマー（配向制御材料）を含む配向膜を形成した状態で、液晶層に対して所定の電場を印加しつつ、配向制御材料を反応させることで、液晶分子を配向させ、プレチルトを付与する工程から成る。このような液晶表示装置の製造方式は、ＦＰＡ方式（Field-induced Photo-reactive Alignment方式）と呼ばれる。
【００６３】
一対の基板は、画素電極を有する基板、及び、対向電極を有する基板から構成されているが、例えば、第１基板を画素電極を有する基板とし、第２基板を対向電極を有する基板とすればよい。対向電極を有する基板（第２基板）側にカラーフィルター層が形成されており、あるいは又、画素電極を有する基板（第１基板）側にカラーフィルター層が形成されている。画素電極を有する基板（第１基板）には、ＴＦＴ等の画素を駆動するための回路が設けられている。尚、ＴＦＴ等の画素を駆動するための回路を含む層を、『ＴＦＴ層』と呼ぶ場合がある。対向電極を有する基板（第２基板）側にカラーフィルター層が形成されている場合、ＴＦＴ層の上には下地層に相当する平滑化膜が形成されており、平滑化膜上に第１電極が形成されている。一方、画素電極を有する基板（第１基板）側にカラーフィルター層が形成されている場合、ＴＦＴ層の上にはカラーフィルター層が形成されており、カラーフィルター層（下地層に相当する）上に、あるいは又、カラーフィルター層の上の形成されたオーバーコート層（下地層に相当する）の上に、若しくは、無機材料から成るパシベーション膜（下地層に相当する）の上に、第１電極が形成されている。液晶表示装置において、画素が複数の副画素から構成される場合、画素を副画素と読み替えればよい。第１電極及び第２電極は、例えば、ＩＴＯ（インジウム錫酸化物）やＩＺＯ、ＺｎＯ、ＳｎＯ等の透明性を有する透明導電材料から構成すればよい。また、第２電極は、所謂ベタ電極（パターニングされていない電極）とすることができる。例えば、第１基板の外面に第１の偏光板を貼り付け、第２基板の外面に第２の偏光板を貼り付ける。第１の偏光板と第２の偏光板とは、それぞれの吸収軸が直交するように配置する。第１の偏光板の吸収軸は、Ｘ軸あるいはＹ軸と平行であり、第２の偏光板の吸収軸は、Ｙ軸あるいはＸ軸と平行である形態とすることが好ましいが、これに限定するものではない。
【００６４】
液晶表示装置は、周知の面状照明装置（バックライト）によって照明される。面状照明装置は、直下型の面状光源装置としてもよいし、エッジライト型（サイドライト型とも呼ばれる）の面状光源装置とすることもできる。ここで、直下型の面状光源装置は、例えば、筐体内に配置された光源と、光源の下方に位置する筐体の部分に配置され、光源からの出射光を上方に反射する反射部材と、光源の上方に位置する筐体開口部に取り付けられ、光源からの出射光及び反射部材からの反射光を拡散させながら通過させる拡散板とから構成されている。一方、エッジライト型の面状光源装置は、例えば、導光板と、導光板の側面に配置された光源から構成されている。導光板の下方には反射部材が配置されており、導光板の上方には拡散シート及びプリズムシートが配置されている。光源は、例えば冷陰極線型の蛍光ランプから成り、白色光を出射する。あるいは又、例えば、ＬＥＤや半導体レーザ素子といった発光素子から成る。面状照明装置（バックライト）からの光の通過を液晶表示装置によって制御することで、液晶表示装置において画像を表示することができる。
【００６５】
尚、液晶分子の配向状態によっては、面状照明装置からの光が液晶層を抜け、画像のコントラスト（液晶層における光透過率）が不均一になる画素の部分が生じる場合がある。このような場合には、画素の係る部分に光が入射しないように遮光領域を設けることが好ましい。場合によっては、配線層が遮光領域を兼ねる形態とすることもできる。
【実施例１】
【００６６】
実施例１は、本開示の第１の態様に係る液晶表示装置、具体的には、本開示の第１−Ａの態様に係る液晶表示装置に関する。実施例１の液晶表示装置の模式的な一部断面図を図１に示し、第１基板２０における１画素１０1を上方より眺めた模式図を図２に示し、図２の矢印Ａ−Ａに沿った模式的な端面図を図５Ａに示し、図２の矢印Ｂ−Ｂに沿った模式的な端面図を図５Ｂに示す。
【００６７】
実施例１の液晶表示装置、あるいは、後述する実施例２〜実施例１４の液晶表示装置は、
第１基板２０及び第２基板５０、
第２基板５０と対向する第１基板２０の対向面に形成された第１電極（画素電極）１２０、
第１基板２０と対向する第２基板５０の対向面に形成された第２電極（対向電極）５２、並びに、
第１電極１２０及び第２電極５２の間に設けられ、液晶分子６１，６１Ａ，６１Ｂ，６１Ｃを含む液晶層６０、
を有する画素が、複数、配列されて成る液晶表示装置であり、
液晶分子６１にはプレチルトが付与され、
第１電極１２０は、複数の凸部及び凹部を有する下地層１５０、及び、透明導電材料層１３５，１４５から成る。液晶分子は、少なくとも第１電極１２０の側にプレチルトが付与されており、負の誘電率異方性を有する。
【００６８】
そして、実施例１の液晶表示装置において、下地層１５０の凸部頂面１５１には、第１給電部に接続された第１透明導電材料層１３５が形成されている。また、下地層１５０の凹部底面１５２には、第２給電部に接続された第２透明導電材料層１４５が形成されている。更には、下地層１５０の凸部頂面１５１と凹部底面１５２とを結ぶ下地層１５０の側面１５３の少なくとも一部には、透明導電材料層が更に形成されている。参照番号２０Ａは、画素と画素との間に位置する第１基板２０の部分である。画素内において、全ての第１透明導電材料層１３５は繋がっており、全ての第２透明導電材料層１４５は繋がっている。また、凸部頂面１５１に形成された第１透明導電材料層１３５と、凹部底面１５２に形成された第２透明導電材料層１４５とは、画素内において、少なくとも部分的に繋がっている。
【００６９】
実施例１の液晶表示装置において、凸部１３０は、画素中心部を通り、放射状（例えば、十文字状）に延びる幹凸部（主凸部）１３１、及び、幹凸部１３１から画素周辺部に向かって延びる複数の枝凸部（副凸部）１３３から構成されている。幹凸部１３１は、具体的には、例えば、後述するＸ軸及びＹ軸と平行に延びる。一方、凹部１４０は、画素周辺部に額縁状に形成され、凸部１３０を取り囲む幹凹部（主凹部）１４１、及び、幹凹部１４１から延び、枝凸部１３３と枝凸部１３３との間に位置する枝凹部（副凹部）１４３から構成されている。尚、第１基板２０における１画素を上方より眺めた模式図において、凸部と凹部を明確に峻別するために、凹部に細い縦のハッチング線を付した。以下においても同様である。
【００７０】
図２に示す液晶表示装置において、第１給電部と第２給電部とは共通であり、この共通の給電部１３６Ａは画素周辺部に設けられている。また、図３に示す液晶表示装置において、第１給電部１３６Ｂは画素中心部に設けられており、第２給電部１４６Ｂは画素周辺部に設けられている。更には、図４に示す液晶表示装置において、第１給電部１３６Ｃ及び第２給電部１４６Ｃは、別々に、画素周辺部に設けられている。これらの給電部１３６Ａ，１３６Ｂ，１４６Ｂ，１３６Ｃ，１４６Ｃは、後述する接続孔３５の延在部から構成されている。また、第１給電部１３６Ｂ及び第２給電部１４６Ｂは相互に接続されているし、第１給電部１３６Ｃ及び第２給電部１４６Ｃは相互に接続されている。
【００７１】
実施例１の液晶表示装置、あるいは、後述する実施例２〜実施例５の液晶表示装置において、
画素中心部を通り、画素周辺部に平行な直線のそれぞれをＸ軸、Ｙ軸とした（Ｘ，Ｙ）座標系を想定したとき、
第１象限を占める複数の枝凸部１３３，２３３，３３３，４３３，５３３は、Ｘ座標の値が増加したときＹ座標の値が増加する方向に平行に延び、
第２象限を占める複数の枝凸部１３３，２３３，３３３，４３３，５３３は、Ｘ座標の値が減少したときＹ座標の値が増加する方向に平行に延び、
第３象限を占める複数の枝凸部１３３，２３３，３３３，４３３，５３３は、Ｘ座標の値が減少したときＹ座標の値が減少する方向に平行に延び、
第４象限を占める複数の枝凸部１３３，２３３，３３３，４３３，５３３は、Ｘ座標の値が増加したときＹ座標の値が減少する方向に平行に延びる。このようなマルチドメイン電極構造を採用することで、１つの画素内に枝凸部の延びる方向の異なる領域が形成されるため、視野角特性の向上を図ることができる。
【００７２】
尚、限定するものではないが、第１象限を占める複数の枝凸部１３３，２３３，３３３，４３３，５３３は、その軸線がＸ軸と４５度を成して延び、第２象限を占める複数の枝凸部１３３，２３３，３３３，４３３，５３３は、その軸線がＸ軸と１３５度を成して延び、第３象限を占める複数の枝凸部１３３，２３３，３３３，４３３，５３３は、その軸線がＸ軸と２２５度を成して延び、第４象限を占める複数の枝凸部１３３，２３３，３３３，４３３，５３３は、その軸線がＸ軸と３１５度を成して延びる。
【００７３】
液晶分子６１は、第１配向膜２１との界面近傍において第１配向膜２１に保持された液晶分子６１Ａと、第２配向膜５１との界面近傍において第２配向膜５１に保持された液晶分子６１Ｂと、それら以外の液晶分子６１Ｃとに分類することができる。液晶分子６１Ｃは、液晶層６０の厚み方向における中間領域に位置し、駆動電圧がオフの状態において液晶分子６１Ｃの長軸方向（ダイレクタ）が第１基板２０及び第２基板５０に対してほぼ垂直になるように配列されている。ここで、駆動電圧がオンになると、液晶分子６１Ｃのダイレクタが第１基板２０及び第２基板５０に対して平行になるように傾いて配向する。このような挙動は、液晶分子６１Ｃにおいて、長軸方向の誘電率が短軸方向よりも小さいという性質を有することに起因している。液晶分子６１Ａ，６１Ｂも同様の性質を有することから、駆動電圧のオン・オフの状態変化に応じて、基本的には、液晶分子６１Ｃと同様の挙動を示す。但し、駆動電圧がオフの状態において、液晶分子６１Ａは第１配向膜２１によってプレチルトθ1が付与され、あるいは又、液晶中に予め混入された重合性モノマーによってプレチルトθ1が付与され、そのダイレクタが第１基板２０及び第２基板５０の法線方向から傾斜した姿勢となる。同様に、液晶分子６１Ｂは、第２配向膜５１によってプレチルトθ2が付与され、あるいは又、液晶中に予め混入された重合性モノマーによってプレチルトθ2が付与され、そのダイレクタが第１基板２０及び第２基板５０の法線方向から傾斜した姿勢となる。尚、ここで、「保持される」とは、配向膜２１，５１と液晶分子６１Ａ，６１Ｂとが固着せずに、液晶分子６１の配向を規制していることを表している。また、「プレチルトθ（θ1，θ2）」とは、図４４Ａに示すように、第１基板２０及び第２基板５０の表面に垂直な方向（法線方向）をＺとした場合に、駆動電圧がオフの状態で、Ｚ方向に対する液晶分子６１（６１Ａ，６１Ｂ）のダイレクタＤの傾斜角度を指す。以下に説明する種々の実施例においても同様である。
【００７４】
液晶層６０では、プレチルトθ1，θ2の双方が０度よりも大きな値を有している。液晶層６０では、プレチルトθ1，θ2は、同じ角度（θ1＝θ2）であってもよいし、異なる角度（θ1≠θ2）であってもよいが、中でも、プレチルトθ1，θ2は、異なる角度であることが好ましい。これにより、プレチルトθ1，θ2の双方が０度である場合よりも駆動電圧の印加に対する応答速度が向上すると共に、プレチルトθ1，θ2の双方が０度である場合とほぼ同等のコントラストを得ることができる。よって、応答特性を向上させつつ、黒表示の際の光の透過量を低減することができ、コントラストを向上させることができる。プレチルトθ1，θ2を異なる角度とする場合、プレチルトθ1，θ2のうちの大きい方のプレチルトθは、１度以上、４度以下であることがより望ましい。大きい方のプレチルトθを上記した範囲内にすることにより、特に、高い効果が得られる。以下に説明する種々の実施例においても同様である。
【００７５】
第１基板２０の上には、ＴＦＴ層３０（詳細は後述する）が形成されており、ＴＦＴ層３０上に、感光性のポリイミド樹脂やアクリル樹脂等の有機絶縁材料から成る平滑化膜としても機能する下地層１５０が形成されており、下地層１５０上に第１電極１２０が形成されている。下地層１５０は、ＳｉＯ2やＳｉＮ、ＳｉＯＮ等の無機絶縁材料から構成することもできる。以下に説明する種々の実施例においても同様とすることができる。
【００７６】
凹凸部は、例えば、
（ａ）下地層である平滑化膜（あるいはカラーフィルター層）の上におけるレジスト材料層の形成（平滑化膜及びカラーフィルター層を総称して、『平滑化膜等』と呼ぶ）
（ｂ）露光・現像によるレジスト材料層における凹凸部の形成
（ｃ）レジスト材料層及び平滑化膜等（下地層）のエッチバックによる、平滑化膜等（下地層）における凹凸部の形成
（ｄ）平滑化膜等（下地層）の上における透明導電材料層の形成及びパターニング
によって得ることができる。
【００７７】
あるいは又、凹凸部は、例えば、
（ａ）平滑化膜等の上に形成された下地層の上におけるレジスト材料層の形成
（ｂ）露光・現像によるレジスト材料層における凹凸部の形成
（ｃ）レジスト材料層及び下地層のエッチバックによる、下地層における凹凸部の形成
（ｄ）下地層の上における透明導電材料層の形成及びパターニング
によって得ることができる。
【００７８】
あるいは又、凹凸部は、例えば、
（ａ）平滑化膜等の上における絶縁材料層の形成
（ｂ）絶縁材料層の上におけるレジスト材料層の形成及びレジスト材料層のパターニング
（ｃ）レジスト材料層をエッチング用マスクとして用いた絶縁材料層のパターニングによる、凹凸部を有する下地層の形成（凹部底面は平滑化膜等から構成され、凸部は絶縁材料層から構成され、下地層は平滑化膜等及び絶縁材料層から構成される）、
（ｂ）下地層の上における透明導電材料層の形成及びパターニング
によって得ることができる。
【００７９】
あるいは又、凹凸部は、例えば、平滑化膜の厚さの最適化を図ることで、第１基板の上、あるいは、第１基板の上方に形成された液晶表示装置構成要素（例えば、各種信号線や補助容量電極、ゲート電極、ソース／ドレイン電極、各種配線）の厚さの影響で平滑化膜に凸部を形成することで得ることもできる。
【００８０】
以上の凹凸部に関する説明は、以下に説明する種々の実施例に適用することができる。
【００８１】
凸部、幹凸部あるいは枝凸部の側面（側壁）は、出来る限り垂直な面であることが好ましく、あるいは又、逆テーパーが付されていることが好ましい。
【００８２】
第１基板２０の外面には第１の偏光板（図示せず）が貼り付けられており、第２基板５０の外面には第２の偏光板（図示せず）が貼り付けられている。第１の偏光板と第２の偏光板とは、それぞれの吸収軸が直交するように配置する。第１の偏光板の吸収軸は、Ｘ軸あるいはＹ軸と平行であり、第２の偏光板の吸収軸は、Ｙ軸あるいはＸ軸と平行である。以下の実施例においても同様である。
【００８３】
また、第２基板５０には、カラーフィルター層（図示せず）及びブラックマトリクス（図示せず）が形成されており、これらの上に、所謂ベタ電極の第２電極５２が形成されており、第２電極５２の上に第２配向膜５１が形成されている。そして、画素１０1と画素１０1との間に位置する第１基板２０の部分の射影像及び画素周辺部の射影像と、ブラックマトリクスの射影像とは重なっている。後述する種々の実施例においても同様とすることができる。共通の給電部１３６Ａ、第２給電部１４６Ｂ、第１給電部１３６Ｃ及び第２給電部１４６Ｃは、ブラックマトリクスの射影像内に位置する。
【００８４】
図４５には、図１に示した液晶表示装置、あるいは、後述する種々の実施例の液晶表示装置における回路構成を示す。
【００８５】
図４５に示すように、液晶表示装置は、表示領域８０内に設けられた複数の画素１０を有する液晶表示素子を含んで構成されている。この液晶表示装置では、表示領域８０の周囲には、ソースドライバ８１及びゲートドライバ８２と、ソースドライバ８１及びゲートドライバ８２を制御するタイミングコントローラ８３と、ソースドライバ８１及びゲートドライバ８２に電力を供給する電源回路８４とが設けられている。
【００８６】
表示領域８０は、画像が表示される領域であり、複数の画素１０がマトリクス状に配列されることにより画像を表示可能に構成された領域である。尚、図４５では、複数の画素１０を含む表示領域８０を示しているほか、４つの画素１０に対応する領域を別途拡大して示している。
【００８７】
表示領域８０では、行方向に複数のソース線９１が配列されていると共に、列方向に複数のゲート線９２が配列されており、ソース線９１及びゲート線９２が互いに交差する位置に画素１０がそれぞれ配置されている。各画素１０は、第１電極１２０及び液晶層６０と共に、ＴＦＴ９３及びキャパシタ９４を含んで構成されている。各ＴＦＴ９３では、ソース電極がソース線９１に接続され、ゲート電極がゲート線９２に接続され、ドレイン電極がキャパシタ９４及び第１電極１２０に接続されている。各ソース線９１は、ソースドライバ８１に接続されており、ソースドライバ８１から画像信号が供給される。各ゲート線９２は、ゲートドライバ８２に接続されており、ゲートドライバ８２から走査信号が順次供給される。
【００８８】
ソースドライバ８１及びゲートドライバ８２は、複数の画素１０の中から特定の画素１０を選択する。
【００８９】
タイミングコントローラ８３は、例えば、画像信号（例えば、赤、緑、青に対応するＲＧＢの各画像信号）と、ソースドライバ８１の動作を制御するためのソースドライバ制御信号とを、ソースドライバ８１に出力する。また、タイミングコントローラ８３は、例えば、ゲートドライバ８２の動作を制御するためのゲートドライバ制御信号をゲートドライバ８２に出力する。ソースドライバ制御信号として、例えば、水平同期信号、スタートパルス信号あるいはソースドライバ用のクロック信号等が挙げられる。ゲートドライバ制御信号として、例えば、垂直同期信号や、ゲートドライバ用のクロック信号等が挙げられる。
【００９０】
実施例１の液晶表示装置の製造にあっては、先ず、以下に説明する方法に基づきＴＦＴを形成し、更に、下地層１５０が形成された第１基板２０の対向面上にＩＴＯから成る透明導電材料層１３５，１４５を形成する。第１基板２０は、厚さ０．７ｍｍのガラス基板から成る。
【００９１】
即ち、図４６Ａに示すように、第１基板２０上に形成された絶縁膜２０’の上にゲート電極３１を形成し、ゲート電極３１及び絶縁膜２０’の上にゲート絶縁層３２を形成する。ゲート絶縁層３２は、例えば、ＳｉＯ2やＳｉＮ、ＳｉＯＮ、金属酸化物から成る。次いで、ゲート絶縁層３２上にチャネル形成領域となる半導体層３３を形成した後、半導体層３３上にソース／ドレイン電極３４を形成する。半導体層３３は、例えば、ポリシリコンやアモルファスシリコンから成り、ソース／ドレイン電極３４は、例えば、チタン、クロム、アルミニウム、モリブデン、タンタル、タングステン、銅等の金属膜や、これらの合金膜又は積層膜から成る。こうして、ＴＦＴ層３０を得ることができる。以上のＴＦＴ層３０の形成は、周知の方法に基づき行うことができる。尚、ＴＦＴは、このような所謂ボトムゲート／トップコンタクト型に限定されず、ボトムゲート／ボトムコンタクト型とすることもできるし、トップゲート／トップコンタクト型とすることもできるし、トップゲート／ボトムコンタクト型とすることもできる。
【００９２】
その後、全面に、厚さ２．５μｍの下地層１５０を形成した後、一方のソース／ドレイン電極３４の上方の下地層１５０に接続孔３５を形成する。接続孔３５の底部には、一方のソース／ドレイン電極３４が露出している。次いで、下地層１５０上にレジスト材料層を形成した後、露光・現像を行うことで、レジスト材料層に、所定の深さを有する凹凸部を形成する。そして、レジスト材料層及び下地層１５０のエッチバックを行うことで、下地層１５０に凹凸部１２１を形成することができる。
【００９３】
あるいは又、その後、全面に、平滑化膜を形成した後、一方のソース／ドレイン電極３４の上方の平滑化膜に接続孔３５を形成する。接続孔３５の底部には、一方のソース／ドレイン電極３４が露出している。そして、接続孔３５内を含む平滑化膜の上に絶縁材料層を形成し、更に、絶縁材料層上にレジスト材料層を形成する。凹凸部を形成するためのレジスト材料層は接続孔３５内を延びている。その後、レジスト材料層の露光・現像を行うことで、レジスト材料層をパターニングする。そして、レジスト材料層をエッチング用マスクとして用いて絶縁材料層のエッチングを行い、レジスト材料層を除去することで、下地層１５０に凹凸部１２１を形成することができる。凹部底面１５２は平滑化膜から構成され、凸部は絶縁材料層から構成され、下地層１５０は平滑化膜及び絶縁材料層から構成される。下地層１５０の凹凸部１２１は、接続孔３５内を延び、接続孔３５の底部に露出した一方のソース／ドレイン電極３４の上にまで形成されている。
【００９４】
その後、全面に、所定の厚さを有するＩＴＯから成る透明導電材料層１３５，１４５を形成することで、凹凸部１２１（凸部１３０、凹部１４０）を得ることができる。透明導電材料層は接続孔３５の底部に露出した一方のソース／ドレイン電極３４まで延びている。そして、周知の方法に基づき透明導電材料層１３５，１４５をパターニングすることで、第１電極１２０をマトリクス状に設けることができる。凸部１３０、凹部１４０等の仕様を以下の表１のとおりとした。
【００９５】
一方、第２基板５０にあっては、厚さ０．７ｍｍのガラス基板から成る第２基板５０にカラーフィルター層（図示せず）を形成し、カラーフィルター層上に、所謂ベタ電極の第２電極５２を形成する。
【００９６】
［表１］
凸部の平均高さ        ：０．４μｍ
凸部の形成ピッチ      ：５．０μｍ
凸部の幅              ：２．５μｍ
凹部の幅              ：２．５μｍ
透明導電材料層の厚さ  ：０．１μｍ
枝凸部の側面の傾斜角度：９０度
第１配向膜の平均膜厚  ：０．１μｍ
第２配向膜の平均膜厚  ：０．１μｍ
Ｔ2／Ｔ1              ：１
【００９７】
その後、第１電極１２０上に第１配向膜２１を形成し、第２電極５２の上に第２配向膜５１を形成する。具体的には、配向膜材料を、第１電極１２０及び第２電極５２のそれぞれの上に塗布あるいは印刷した後、加熱処理をする。配向膜材料として、垂直配向膜材料であるＪＳＲ株式会社製ＪＡＬＳ２１３１−Ｒ６を使用した。加熱処理の温度は８０゜Ｃ以上が好ましく、１５０゜Ｃ以上、２００゜Ｃ以下とすることがより好ましい。また、加熱処理は、加熱温度を段階的に変化させてもよい。これにより、塗布あるいは印刷された配向膜材料に含まれる溶剤が蒸発し、高分子化合物を含む配向膜２１，５１が形成される。その後、必要に応じて、ラビング等の処理を施してもよい。より具体的には、第１配向膜２１及び第２配向膜５１として、垂直配向膜材料をスピンコート法に基づき、第１電極１２０及び第２電極５２の上に塗布する。そして、ホットプレート上で８０゜Ｃ、８０秒の乾燥工程を行った後、窒素雰囲気のクリーンオーブン内で、２００゜Ｃ、６０分間のベーキングを行い、第１配向膜２１及び第２配向膜５１を得た。
【００９８】
次に、第１基板２０と第２基板５０とを配向膜２１と配向膜５１とが対向するように配置し、配向膜２１と配向膜５１との間に、液晶分子６１を含む液晶層６０を封止する。具体的には、第１基板２０あるいは第２基板５０のどちらか一方の、配向膜２１，５１の形成されている面に対して、セルギャップを確保するためのスペーサ突起物、例えば、直径３．０μｍのプラスチックビーズ等を散布する一方、例えば、スクリーン印刷法により、第２基板５０上の外縁に、粒径３．５μｍのシリカ粒子を含む紫外線硬化樹脂を塗布することによりシール部を形成する。そして、シール部に囲まれた部分に、ネガ型液晶に配向制御材料である重合性モノマー（具体的には、アクリルモノマーであり、新中村化学工業株式会社製Ａ−ＢＰ−２Ｅ）を０．３質量％混入した液晶材料を滴下注入する。このような液晶表示装置の製造方式は、ＰＳＡ方式と呼ばれる。その後、第１基板２０と第２基板５０とを貼り合わせ、１２０゜Ｃ、１時間といった条件で、シール部を硬化させる。これにより、液晶層６０が封止される。次いで、第１電極１２０と第２電極５２との間に、電圧印加手段を用いて、電圧を印加する。電圧は、例えば、３ボルト〜３０ボルト、具体的には、例えば、実効値電圧７ボルトの矩形波の交流電界（６０Ｈｚ）である。同時に、重合性モノマーを反応させるために、使用する重合性モノマーに依るが、加熱処理を施し、あるいは又、紫外線を照射する（例えば、１０Ｊ（波長３６０ｎｍでの測定）の均一な紫外線）。これにより、第１基板２０及び第２基板５０の表面に対して所定の角度を成す方向の電場（電界）が生じ、液晶分子６１が、第１基板２０及び第２基板５０の垂直方向から所定方向に傾いて配向する。即ち、このときの液晶分子６１の方位角（偏角）は、電場の強さと方向、及び、液晶中に混入した重合性モノマーによって規定され、極角（天頂角）は、電場の強さ、及び、液晶中に混入した重合性モノマーによって規定される。従って、電圧の値を適宜調節することにより、液晶分子６１Ａ，６１Ｂのプレチルトθ1，θ2の値を制御することが可能である。第１電極１２０に形成された凹凸部１２１によって、第１基板２０と第２基板５０との間に斜め電界が加わる。また、液晶中に混入した重合性モノマーの反応によって、基板の対向面近傍に高分子の層が形成される。そして、こうして形成された高分子の層により液晶分子６１の応答すべき方向が規定され、第１基板２０及び第２基板５０の近傍の液晶分子６１のプレチルト状態が、重合性モノマーの反応生成物によって固定される。以上により、液晶セルを完成させることができる。
【００９９】
一方、プレチルトを記憶する機能を有する配向膜を少なくとも一方の電極上に塗布、形成した後、ネガ型液晶を注入封止するＦＰＡ方式においては、シール部を形成した後、シール部に囲まれた部分に、ネガ型液晶から成る液晶材料を滴下注入する。そして、第１基板２０と第２基板５０とを貼り合わせ、波長４１０ｎｍの紫外線を用いてシール部を硬化させる。次いで、第１電極１２０と第２電極５２との間に、電圧印加手段を用いて、電圧を印加する。電圧は、例えば、３ボルト〜３０ボルト、具体的には、例えば、実効値電圧７ボルトの矩形波の交流電界（６０Ｈｚ）である。これにより、第１基板２０及び第２基板５０の表面に対して所定の角度をなす方向の電場（電界）が生じ、液晶分子６１が、第１基板２０及び第２基板５０の垂直方向から所定方向に傾いて配向する。即ち、このときの液晶分子６１の方位角（偏角）は、電場の強さと方向、及び、配向膜材料の分子構造によって規定され、極角（天頂角）は、電場の強さ、及び、配向膜材料の分子構造によって規定される。従って、電圧の値を適宜調節することにより、液晶分子６１Ａ，６１Ｂのプレチルトθ1，θ2の値を制御することが可能である。そして、電圧を印加した状態のまま、エネルギー線（具体的には紫外線ＵＶ）、例えば、１０Ｊ（波長３６０ｎｍでの測定）の均一な紫外線を、例えば、第１基板２０の外側から配向膜２１，５１に対して照射する。即ち、液晶分子６１を一対の基板２０，５０の表面に対して斜め方向に配列させるように、電場又は磁場を印加しながら紫外線を照射する。これによって、配向膜２１，５１中の重合性モノマー（配向制御材料）が有する架橋性官能基又は重合性官能基を反応させ、架橋させる。第１電極１２０に形成された凹凸部１２１によって、第１基板２０と第２基板５０との間に斜め電界が加わる。こうして、重合性モノマーを重合させることで得られた高分子化合物により液晶分子６１の応答すべき方向が記憶され、配向膜２１，５１近傍の液晶分子６１にプレチルトが付与される。そして、この結果、非駆動状態において、液晶層６０における配向膜２１，５１との界面近傍に位置する液晶分子６１Ａ，６１Ｂにプレチルトθ1，θ2が付与される。紫外線ＵＶとして、波長２９５ｎｍから波長３６５ｎｍ程度の光成分を多く含む紫外線が好ましい。これよりも短波長域の光成分を多く含む紫外線を用いると、液晶分子６１が光分解し、劣化する虞があるからである。尚、ここでは、紫外線ＵＶを第１基板２０の外側から照射したが、第２基板５０の外側から照射してもよく、第１基板２０及び第２基板５０の双方の基板の外側から照射してもよい。この場合、光透過率が高い方の基板側から紫外線ＵＶを照射することが好ましい。また、第２基板５０の外側から紫外線ＵＶを照射した場合、紫外線ＵＶの波長域に依っては、カラーフィルター層に吸収されて架橋反応し難くなる虞がある。そのため、第１基板２０の外側（画素電極を有する基板側）から照射することが好ましい。
【０１００】
以上のように、液晶層６０に対して所定の電場を印加しつつ、少なくとも第１配向膜２１を構成する重合性モノマー（配向制御材料）を反応させることにより液晶分子６１にプレチルトが付与される（ＦＰＡ方式）。あるいは又、液晶層６０に対して所定の電場を印加しつつ、液晶層６０中に含まれる重合性モノマー（配向制御材料）を反応させることにより液晶分子６１にプレチルトが付与される（ＰＳＡ方式）。
【０１０１】
第１配向膜２１の平均膜厚をＴ1、第２配向膜５１の平均膜厚をＴ2としたとき、
０．５≦Ｔ2／Ｔ1≦１．５
望ましくは、
０．８≦Ｔ2／Ｔ1≦１．２
を満足することが好ましい。このように、Ｔ2／Ｔ1の値を規定することで、即ち、第１配向膜２１の平均膜厚と第２配向膜５１の平均膜厚とを、等しく、あるいは又、概ね等しくすることで、焼付き等の発生を確実に防止することができる。
【０１０２】
以上の工程により、第１基板２０及び第２基板５０側の液晶分子６１Ａがプレチルトをなす図１に示した液晶表示装置（液晶表示素子）を完成させることができる。最後に、液晶表示装置の外側に、吸収軸が直交するように一対の偏光板（図示せず）を貼り付ける。尚、以下に説明する各種の実施例における液晶表示装置も、概ね同様の方法で製造することができる。
【０１０３】
液晶表示装置（液晶表示素子）の動作において、選択された画素１０では、駆動電圧が印加されると、液晶層６０に含まれる液晶分子６１の配向状態が、第１電極１２０と第２電極５２との間の電位差に応じて変化する。具体的には、液晶層６０では、図１に示した駆動電圧の印加前の状態から、駆動電圧が印加されることにより、配向膜２１、５１の近傍に位置する液晶分子６１Ａ、６１Ｂが自らの傾き方向に、回転しながら倒れ、且つ、その動作がその他の液晶分子６１Ｃに伝播する。その結果、液晶分子６１は、第１基板２０及び第２基板５０に対してほぼ水平（平行）となる姿勢をとるように応答する。これにより、液晶層６０の光学的特性が変化し、液晶表示素子への入射光が変調された出射光となり、この出射光に基づいて階調表現されることで、画像が表示される。
【０１０４】
この液晶表示装置では、以下の要領で第１電極（画素電極）１２０と第２電極（対向電極）５２との間に駆動電圧を印加することにより、画像が表示される。具体的には、ソースドライバ８１が、タイミングコントローラ８３からのソースドライバ制御信号の入力により、同じくタイミングコントローラ８３から入力された画像信号に基づいて所定のソース線９１に個別の画像信号を供給する。これと共に、ゲートドライバ８２が、タイミングコントローラ８３からのゲートドライバ制御信号の入力により所定のタイミングでゲート線９２に走査信号を順次供給する。これにより、画像信号が供給されたソース線９１と走査信号が供給されたゲート線９２との交差点に位置する画素１０が選択され、画素１０に駆動電圧が印加される。
【０１０５】
第１基板２０にカラーフィルター層を形成してもよい。具体的には、上述したとおり、第１基板２０にＴＦＴ層３０を形成した後、周知の方法に基づき、下地層１５０の代わりにカラーフィルター層２２をＴＦＴ層３０の上に形成する。こうして、ＣＯＡ（Color Filter On Array）構造を得ることができる。そして、一方のソース／ドレイン電極３４の上方のカラーフィルター層２２に接続孔３５を形成した後、接続孔３５を含むカラーフィルター層２２に凹凸部を形成し、更に、第１電極１２０（透明導電材料層１３５，１４５）を形成すればよい（図４６Ｂ参照）。
【０１０６】
実施例１の液晶表示装置において、下地層の凸部頂面には第１給電部に接続された第１透明導電材料層が形成されており、下地層の凹部底面には第２給電部に接続された第２透明導電材料層が形成されているので、第１透明導電材料層及び第２透明導電材料層に確実に電圧を印加することができる。それ故、表示画像の品質劣化が生じるを確実に抑制することができる。
【実施例２】
【０１０７】
実施例２は、実施例１の変形であり、本開示の第１−Ｂの態様に係る液晶表示装置に関する。実施例２の液晶表示装置を構成する第１基板２０における１画素１０2を上方より眺めた模式図を図６に示し、図６の矢印Ａ−Ａに沿った模式的な端面図を図１８Ａに示し、図６の矢印Ｂ−Ｂに沿った模式的な端面図を図１８Ｂに示す。図６に示す実施例２の液晶表示装置は、図２に示した実施例１の液晶表示装置の変形であるが、この変形に限定されず、例えば、図３〜図４に示した実施例１の液晶表示装置の変形とすることもできる。
【０１０８】
実施例２の液晶表示装置において、
凸部２３０は、画素周辺部に額縁状に形成された幹凸部２３１、及び、幹凸部２３１から画素内部に向かって延びる複数の枝凸部２３３から構成されており、
凹部２４０は、画素中心部を通り、放射状（例えば、十文字状）に延びる幹凹部２４１、及び、幹凹部２４１から画素周辺部に向かって延び、枝凸部２３３と枝凸部２３３との間に位置する枝凹部２４３から構成されている。幹凹部２４１は、具体的には、例えば、Ｘ軸及びＹ軸と平行に延びる。
【０１０９】
実施例２の液晶表示装置の模式的な一部端面図は、実質的に、図１と同じである。以上の点を除き、実施例２の液晶表示装置は、実施例１の液晶表示装置の構成、構造と同様とすることができるので、詳細な説明は省略する。
【実施例３】
【０１１０】
実施例３は、本開示の第２の態様及び第３の態様に係る液晶表示装置に関する。実施例３の液晶表示装置を構成する第１基板２０における１画素１０3を上方より眺めた模式図を図７に示し、図７の矢印Ａ−Ａに沿った模式的な端面図を図１８Ｃに示すように、実施例３の液晶表示装置において、
下地層１５０の凸部頂面１５１には、第１透明導電材料層１３５が形成されており、
下地層１５０の凹部底面１５２には、第１透明導電材料層１３５と繋がった第２透明導電材料層１４５が形成されており、
凸部３３０は、画素中心部を通り、放射状（例えば、十文字状）に延びる幹凸部３３１、及び、幹凸部３３１から画素周辺部に向かって延びる複数の枝凸部３３３から構成されており、
凹部３４０は、幹凸部３３１から延び、枝凸部３３３と枝凸部３３３との間に位置し、
凹部３４０には最狭部が存在し（具体的には、凹部３４０の幅は、凹部３４０が幹凸部３３１から延び出す部分（図７においては、円形で囲んだ領域３４４で示す）で最も狭くなっており）、あるいは又、凹部３４０と凸部３３０との間の段差が最も小さくなる領域が存在する（具体的には、凹部３４０が幹凸部３３１から延び出す部分３４４で、凹部と凸部との間の段差が最も小さくなっている）。凹部３４０が幹凸部３３１から延び出す部分は、後述するように、例えば、フォトリソグラフィ技術における解像度限界設計に基づき形成される。尚、幹凸部３３１は、具体的には、例えば、Ｘ軸及びＹ軸と平行に延びる。
【０１１１】
尚、参照番号１３６Ｄは、画素中心部に設けられ、幹凸部３３１における第１透明導電材料層１３５に接続された給電部である。そして、実施例３、あるいは、後述する実施例４〜実施例５の液晶表示装置において、幹凸部上に形成された第１透明導電材料層１３５が給電部に接続されている。尚、給電部１３６Ｄあるいはその近傍において、液晶分子６１の配向状態によっては、面状照明装置からの光が液晶層６０を抜け、画像のコントラスト（液晶層における光透過率）が不均一になる虞がある。このような場合には、給電部１３６Ｄあるいはその近傍に光が入射しないように遮光領域を設けることが好ましい。場合によっては、配線層が遮光領域を兼ねる形態とすることもできる。
【０１１２】
実施例３の液晶表示装置の模式的な一部端面図は、実質的に、図１と同じである。以上の点を除き、実施例３の液晶表示装置は、実施例１の液晶表示装置の構成、構造と同様とすることができるので、詳細な説明は省略する。
【０１１３】
下地層１５０における凹凸部形成のためのエッチングにおいて、加工パターンのアスペクト比（パターン寸法と深さの比）が増大するとエッチング速度が低下するマイクロローディング効果と呼ばれる現象が起こる。凹部３４０の幅は、凹部３４０が幹凸部３３１から延び出す部分３４４で最も狭くなっている。従って、凹部３４０の深さは、凹部３４０が幹凸部３３１から延び出す部分３４４で最も浅い。その結果、凹部３４０が幹凸部３３１から延び出す部分３４４で、幹凸部頂面１５１に形成された第１透明導電材料層１３５と、凹部底面１５２に形成された第２透明導電材料層１４５との間に断線が生じることがなく、確実に繋がった状態を得ることができる。それ故、表示画像の品質劣化が生じるを確実に抑制することができる。以下に説明する実施例４〜実施例５においても同様である。
【０１１４】
あるいは又、下地層１５０における凹凸部形成のためのエッチングに際して、下地層１５０上にレジスト材料層を形成し、このレジスト材料層をフォトマスクを用いたフォトリソグラフィ技術に基づき露光、現像する。このとき、凹部３４０が幹凸部３３１から延び出す部分３４４に対応する凹凸部を下地層１５０に形成するためのフォトマスクの部分をハーフトーン構造を有するフォトマスクとする。このようなハーフトーン構造を有するフォトマスクを用いたレジスト材料層の露光、現像を行うことで、凹部３４４が幹凸部３３１から延び出す部分３４４に対応する下地層の凹凸部には、段差が無くなり、あるいは又、小さな段差が形成されるだけである。従って、凹部３４０が幹凸部３３１から延び出す部分３４４で、幹凸部頂面１５１に形成された第１透明導電材料層１３５と、凹部底面１５２に形成された第２透明導電材料層１４５との間に断線が生じることがなく、確実に繋がった状態を得ることができる。それ故、表示画像の品質劣化が生じるを確実に抑制することができる。以下に説明する実施例４〜実施例５においても同様である。
【０１１５】
実施例３において、凹部３４０の幅は、凹部３４０が幹凸部３３１から延び出す部分（図７においては、円形で囲んだ領域３４４で示す）で最も狭くなっているが、これを云い換えると、枝凸部３３３の幅は、幹凸部３３１と接合する枝凸部の部分３３３ａが最も広く、幹凸部３３１と接合する部分３３３ａから先端部３３３ｂに向かって狭くなっている（具体的には、直線状に狭くなっている）と云える。図８に実施例３の液晶表示装置を構成する１画素分の第１電極の一部分を拡大した模式的な平面図を示す。
【０１１６】
液晶表示装置の製造時、電極に電圧を印加した状態で液晶分子にプレチルトを付与する。このとき、図９Ａ、図９Ｂに示すように、先端エッジ部ａあるいはその近傍（便宜上、『先端領域』と呼ぶ）に位置する液晶分子Ａは、その長軸方向（ダイレクタ）が幹凸部に向かって傾く。そして、液晶層において、この液晶分子Ａを含む厚さ方向の領域を想定した場合、液晶分子Ａの動きが、構造に起因した局所電場の影響を受ける枝凸部のエッジ部を除いた１画素全体の液晶分子（便宜上、『液晶分子Ａ’』と呼ぶ）に伝わり、液晶分子Ａ’のダイレクタが幹凸部に向かって傾いていく。ここで、図９Ｂに示すような枝凸部にテーパーが付されていない液晶表示装置よりも、図９Ａに示すような枝凸部にテーパーが付されている液晶表示装置の方が、液晶分子Ａの動きが液晶分子Ａ’に伝わり易く、あるいは又、液晶分子Ａの動きが液晶分子Ａ’に一層短い時間で伝わる。
【０１１７】
液晶表示装置における画像の表示時、電極に電圧を印加すると、液晶層全体において、液晶分子は、ダイレクタが第１基板及び第２基板に対して平行となるように変化する。図９Ａ及び図９Ｂにおいて、側辺エッジ部における電場の方向を白抜きの矢印で示している。ここで、側辺エッジ部ｂあるいはその近傍（便宜上、『側辺領域』と呼ぶ）に位置する液晶分子Ｂを含む液晶層において、厚さ方向に柱状領域を想定した場合、この柱状領域中の厚さ方向に並んだ液晶分子には回転が生じる。即ち、側辺領域に位置する液晶分子Ｂのダイレクタの方向と、液晶分子Ｂを含む柱状領域中の厚さ方向に並んだ液晶分子（便宜上、『液晶分子Ｂ’』と呼ぶ）のダイレクタの方向とは異なる状態となる。これらの液晶分子Ｂのダイレクタと液晶分子Ｂ’のダイレクタとの成す角度をβとする。ここで、図９Ｂに示すように、枝凸部にテーパーが付されていない液晶表示装置にあっては、液晶分子の回転角度の範囲が広いので（即ち、角度βが大きいので）、Ｘ軸方向あるいはＹ軸方向にリタデーションを持つ液晶分子の割合が少ない場合がある。一方、図９Ａに示すように、枝凸部にテーパーが付されている液晶表示装置にあっては、液晶分子の回転角度範囲が狭いので（即ち、角度βが小さいので）、Ｘ軸方向あるいはＹ軸方向にリタデーションを持つ液晶分子の割合が多い。それ故、枝凸部における光透過率の不均一化を招くことがなく、暗線の発生を一層確実に抑制することができる。
【０１１８】
従来のファインスリット構造では、電極が設けられていないスリットにおいては、電場は液晶分子に対して殆ど影響を与えることができず、液晶分子が所望の方向に配向し難い（倒れ難い）。それ故、スリットに対応して暗線が生じ、光透過率の低下を招く。実施例３にあっては、液晶分子は画素内の全領域において電場の影響を受けるので、ファインスリット構造における暗線の発生といった現象は生じない。また、従来のファインスリット構造では、電極とスリットの面積比が光透過率に大きく影響する。一方、実施例３にあっては、そもそも、スリットが存在しないので、このような問題は生じない。
【０１１９】
以上のとおり、実施例３の液晶表示装置にあっては、第１電極には複数の凹凸部が形成されており、この第１電極に設けられた枝凸部の幅は、先端部に向かって狭くなっている。それ故、暗線の発生を一層少なくすることができる。即ち、一層均一な高い光透過率を実現することができるし、一層良好な電圧応答特性を得ることができる。また、初期配向の改善を見込むことができるため、前述したように、液晶セルに対して矩形波の交流電界を印加した状態で均一な紫外線を照射して、液晶分子にプレチルトを付与するとき、液晶分子にプレチルトを付与するための時間の短縮を図ることができる。また、配向欠陥の減少が見込めるため、歩留りが向上し、液晶表示装置の生産コストの低減が可能となる。更には、光透過率の向上を図れるが故に、バックライトの低消費電力、ＴＦＴ信頼性の向上を図ることができる。次に述べる実施例４においても、枝凸部４３３の幅は、幹凸部４３１と接合する枝凸部の部分４３３ａが最も広く、幹凸部４３１と接合する部分４３３ａから先端部４３３ｂに向かって狭くなっており、以上の議論が成立する。
【０１２０】
尚、図７に示した実施例３の液晶表示装置は、本開示の第２の態様と第３の態様とを組み合わせた液晶表示装置であるが、実施例３にあっては、本開示の第３の態様に係る液晶表示装置を単独で適用することもできる。本開示の第３の態様に係る液晶表示装置を単独で適用した液晶表示装置を構成する第１基板における１画素を上方より眺めた模式図を、図１０に示す。図１０に例示する液晶表示装置において、凹部３４０の幅は一定である。但し、凹部３４０が幹凸部３３１から延び出す部分３４４で、凹部３４０と幹凸部３３１との間の段差が最も小さくなっている。また、図１１に例示する液晶表示装置において、凹部３４０が幹凸部３３１から延び出す部分３４４の幅は、図７に示した例よりも広い。実施例３と実施例１の液晶表示装置を組み合わせてもよい。
【実施例４】
【０１２１】
実施例４は、本開示の第４の態様及び第５の態様に係る液晶表示装置に関し、具体的には、本開示の第４−Ａの態様及び第５−Ａの態様に係る液晶表示装置に関する。実施例４の液晶表示装置を構成する第１基板２０における１画素１０4を上方より眺めた模式図を図１２あるいは図１３に示すように、実施例４の液晶表示装置において、
下地層１５０の凸部頂面１５１には、第１透明導電材料層１３５が形成されており、
下地層１５０の凹部底面１５２には、第１透明導電材料層１３５と繋がった第２透明導電材料層１４５が形成されており、
凸部４３０は、画素周辺部に額縁状に形成された幹凸部４３１、及び、幹凸部４３１から画素内部に向かって延びる複数の枝凸部４３３から構成されており、
凹部４４０は、幹凸部から延び、枝凸部４３３と枝凸部４３３との間に位置し、
凹部４４には最狭部が存在し（具体的には、凹部４４０の幅は、凹部４４０が幹凸部４３１から延び出す部分（図１２においては、円形で囲んだ領域４４４で示す）で最も狭くなっており）、あるいは又、凹部４４０と凸部４３０との間の段差が最も小さくなる領域が存在する（具体的には、凹部４４０が幹凸部４３１から延び出す部分４４４で、凹部と凸部との間の段差が最も小さくなっており、あるいは又、凹部４４０が幹凸部４３１から延び出す部分４４４で、凹部と凸部との間の段差が最も小さくなっている）。図１２の矢印Ａ−Ａに沿った模式的な端面図は、図１８Ｃに示したと同様である。
【０１２２】
更に、実施例４の液晶表示装置において、凸部４３０は、更に、幹凸部４３１から、画素中心部を通り、放射状（例えば、十文字状）に延び、枝凸部４３３と繋がった第２幹凸部４３２を有する。参照番号１３６Ｅは、画素中心部に設けられ、第２幹凸部４３２における第１透明導電材料層１３５に接続された給電部である。第２幹凸部４３２は、具体的には、例えば、Ｘ軸及びＹ軸と平行に延びる。
【０１２３】
実施例４の液晶表示装置の模式的な一部端面図は、実質的に、図１と同じである。以上の点を除き、実施例４の液晶表示装置は、実施例１の液晶表示装置の構成、構造と同様とすることができるので、詳細な説明は省略する。
【０１２４】
尚、図１２に示した実施例４の液晶表示装置は、本開示の第４の態様と第５の態様とを組み合わせた液晶表示装置であるが、実施例４にあっては、本開示の第５の態様に係る液晶表示装置を単独で適用することもできる。本開示の第５の態様に係る液晶表示装置を単独で適用した液晶表示装置を構成する第１基板における１画素を上方より眺めた模式図を、図１３に示す。図１３に例示する液晶表示装置において、凹部４４０の幅は一定である。但し、凹部４４０が幹凸部４３１から延び出す部分４４４で、凹部４４０と幹凸部４３１との間の段差が最も小さくなっている。また、図１４に例示する液晶表示装置において、凹部４４０が幹凸部４３１から延び出す部分４４４の幅は、図１２に示した例よりも広い。実施例４と実施例１の液晶表示装置を組み合わせてもよい。
【実施例５】
【０１２５】
実施例５は、実施例４の変形であり、本開示の第４−Ｂの態様及び第５−Ｂの態様に係る液晶表示装置に関する。実施例５の液晶表示装置を構成する第１基板２０における１画素１０5を上方より眺めた模式図を図１５に示すように、実施例５の液晶表示装置において、凹部５４０は、画素中心部を通り、放射状（例えば、十文字状）に延びる幹凹部５４１、及び、幹凹部５４１から幹凸部５３１へと延び、枝凸部５３３と枝凸部５３３との間に位置する枝凹部５４３から構成されている。幹凹部５４１は、具体的には、例えば、Ｘ軸及びＹ軸と平行に延びる。枝凹部５４３の幅は、枝凹部５４３が幹凸部５３１から延び出す部分（図１５においては、円形で囲んだ領域５４４で示す）で最も狭くなっている。あるいは又、凹部５４０が幹凸部５３１から延び出す部分５４４で、凹部と凸部との間の段差が最も小さくなっている。図１５の矢印Ａ−Ａに沿った模式的な端面図は、図１８Ａに示したと同様である。また、給電部の図示は省略している。尚、参照番号５３０，６３０，７３０，８３０は凸部を示す。
【０１２６】
実施例５の液晶表示装置の模式的な一部端面図は、実質的に、図１と同じである。以上の点を除き、実施例５の液晶表示装置は、実施例１の液晶表示装置の構成、構造と同様とすることができるので、詳細な説明は省略する。
【０１２７】
尚、図１５に示した実施例５の液晶表示装置は、本開示の第４の態様と第５の態様とを組み合わせた液晶表示装置であるが、実施例５にあっても、本開示の第５の態様に係る液晶表示装置を単独で適用することもできる。本開示の第５の態様に係る液晶表示装置を単独で適用した液晶表示装置を構成する第１基板における１画素を上方より眺めた模式図を、図１６に示す。図１６に例示する液晶表示装置において、凹部５４０の幅は一定である。但し、凹部５４０が幹凸部５３１から延び出す部分５４４で、凹部５４０と幹凸部５３１との間の段差が最も小さくなっている。また、図１７に例示する液晶表示装置において、凹部５４０が幹凸部５３１から延び出す部分５４４の幅は、図１５に示した例よりも広い。実施例５と実施例１の液晶表示装置を組み合わせてもよい。
【実施例６】
【０１２８】
実施例６は、実施例４〜実施例５の変形であり、本開示の第４−Ｃの態様及び第５−Ｃの態様に係る液晶表示装置に関する。実施例６の液晶表示装置を構成する第１基板２０における１画素１０6を上方より眺めた模式図を図１９に示す。実施例６の液晶表示装置の模式的な一部端面図は、実質的に、図１と同じである。
【０１２９】
実施例６の液晶表示装置にあっては、画素中心部を通り、画素周辺部に平行な直線のそれぞれをＸ軸、Ｙ軸とした（Ｘ，Ｙ）座標系を想定したとき、
第１象限を占める複数の枝凸部６３３は、Ｘ座標の値が増加したときＹ座標の値が増加する方向に平行に延び、
第２象限を占める複数の枝凸部６３３は、Ｘ座標の値が減少したときＹ座標の値が増加する方向に平行に延び、
第３象限を占める複数の枝凸部６３３は、Ｘ座標の値が減少したときＹ座標の値が減少する方向に平行に延び、
第４象限を占める複数の枝凸部６３３は、Ｘ座標の値が増加したときＹ座標の値が減少する方向に平行に延び、
Ｘ軸と平行な幹凸部６３１から延び、第１象限を占める枝凸部６３３と、Ｘ軸と平行な幹凸部６３１から延び、第４象限を占める枝凸部６３３とは、繋がった状態で形成されており、
Ｙ軸と平行な幹凸部６３１から延び、第１象限を占める枝凸部６３３と、Ｙ軸と平行な幹凸部６３１から延び、第２象限を占める枝凸部６３３とは、繋がった状態で形成されており、
Ｘ軸と平行な幹凸部６３１から延び、第２象限を占める枝凸部６３３と、Ｘ軸と平行な幹凸部６３１から延び、第３象限を占める枝凸部６３３とは、繋がった状態で形成されており、
Ｙ軸と平行な幹凸部６３１から延び、第３象限を占める枝凸部６３３と、Ｙ軸と平行な幹凸部６３１から延び、第４象限を占める枝凸部６３３とは、繋がった状態で形成されている。即ち、実施例６の液晶表示装置にあっては、実施例４あるいは実施例５に係る液晶表示装置と異なり、第２幹凸部や幹凹部は設けられていない。
【０１３０】
第１象限を占める複数の枝凸部６３３は、その軸線がＸ軸と４５度を成して延び、第２象限を占める複数の枝凸部６３３は、その軸線がＸ軸と１３５度を成して延び、第３象限を占める複数の枝凸部６３３は、その軸線がＸ軸と２２５度を成して延び、第４象限を占める複数の枝凸部６３３は、その軸線がＸ軸と３１５度を成して延びる。枝凸部６３３は、Ｘ軸に対して線対称であり、Ｙ軸に対しても線対称であるし、また、画素１０6の中心に対して１８０度の回転対称（点対称）である。また、枝凸部６３３の平面形状は「Ｖ」字形状である。
【０１３１】
枝凸部６３３、凹部３４０の仕様を以下の表２のとおりとした。
【０１３２】
［表２］
枝凸部の高さ      ：０．２μｍ
枝凸部の形成ピッチ：５．０μｍ
枝凸部の平均幅    ：２．５μｍ
凹部の平均        ：２．５μｍ
【０１３３】
実施例６の液晶表示装置において、第１象限を占める複数の枝凸部６３３は、Ｘ座標の値が増加したときＹ座標の値が増加する方向に平行に延び、第２象限を占める複数の枝凸部６３３は、Ｘ座標の値が減少したときＹ座標の値が増加する方向に平行に延び、第３象限を占める複数の枝凸部６３３は、Ｘ座標の値が減少したときＹ座標の値が減少する方向に平行に延び、第４象限を占める複数の枝凸部６３３は、Ｘ座標の値が増加したときＹ座標の値が減少する方向に平行に延びる。即ち、Ｘ軸と平行に延びる枝凸部の部分、あるいは、Ｙ軸と平行に延びる枝凸部の部分が、枝凸部６３３の根元部を除き、存在しない。ここで、第１の偏光板の吸収軸は、Ｘ軸あるいはＹ軸と平行であり、第２の偏光板の吸収軸は、Ｙ軸あるいはＸ軸と平行である。従って、暗線の発生を一層少なくすることができる。即ち、一層均一な高い光透過率を実現することができるし、一層良好な電圧応答特性を得ることができる。また、初期配向が改善されるため、前述したように、液晶セルに対して矩形波の交流電界を印加した状態で均一な紫外線を照射して、液晶分子にプレチルトを付与するとき、液晶分子にプレチルトを付与するための時間の短縮を図ることができる。更には、配向欠陥の減少が見込めるため、歩留りが向上し、液晶表示装置の生産コストの低減が可能となる。更には、光透過率の向上を図れるが故に、バックライトの低消費電力、ＴＦＴ信頼性の向上を図ることができる。後述する実施例７、実施例８においても同様である。
【０１３４】
実施例６の変形例の液晶表示装置を構成する１画素分の第１電極の一部分を拡大した模式的な平面図を、図２０Ａ、図２０Ｂ、図２１Ａ、図２１Ｂに示す。図２０Ａ、図２０Ｂ、図２１Ａ、図２１Ｂは、図１９の第１電極の模式的な平面図において円形の領域で囲んだ第１電極の部分を拡大した模式的な平面図である。実施例６の変形例の液晶表示装置において、２つの枝凸部６３３の接合部６３３ａには、画素１０6の周辺部方向に向かって延びる突出部６３３ｂが設けられている。突出部６３３ｂは、図２０Ａ及び図２０Ｂに示すように、複数の線分（図示した例では２本の線分）によって囲まれている構成とすることができるし、図２１Ａに示すように、１本の曲線によって囲まれている構成とすることもできるし、図２１Ｂに示すように、複数の曲線（図示した例では２本の曲線）によって囲まれている構成とすることもできるし、線分と曲線との組合せによって囲まれている構成とすることもできる。図２０Ａに示す例において、突出部６３３ｂの先端は、画素の周辺部方向において隣接する２つの枝凸部の接合部と接していない。一方、図２０Ｂに示す例において、突出部６３３ｂの先端は、画素の周辺部方向において隣接する２つの枝凸部の接合部と接している。
【０１３５】
このような構成にすることによっても、Ｘ軸と平行に延びる枝凸部の部分、あるいは、Ｙ軸と平行に延びる枝凸部の部分が存在しないか、存在しても極めて僅かな長さである。しかも、枝凸部の「Ｖ」字形状の底部の内側の部分には、突出部６３３ｂが設けられているので、枝凸部の「Ｖ」字形状の底部の部分に突出部６３３ｂが設けられていない場合よりも、枝凸部の「Ｖ」字形状の底部の内側の近傍に位置する液晶分子の配向状態を、一層、所望の状態とすることができる。
【０１３６】
尚、図１９に示した実施例６の液晶表示装置は、図１５に示した実施例５の変形であるが、図１６あるいは図１７に示した実施例５の変形例を実施例６に適用することもできる。
【実施例７】
【０１３７】
実施例７も、実施例４〜実施例５の変形であり、本開示の第４−Ｄの態様、第５−Ｄの態様に係る液晶表示装置に関する。実施例７の液晶表示装置を構成する第１基板２０における１画素１０7を上方より眺めた模式図を図２２に示す。実施例７の液晶表示装置の模式的な一部端面図は、実質的に、図１と同じである。
【０１３８】
実施例７の液晶表示装置にあっては、画素中心部を通り、画素周辺部に平行な直線のそれぞれをＸ軸、Ｙ軸とした（Ｘ，Ｙ）座標系を想定したとき、
第１象限を占める複数の枝凸部７３３は、Ｘ座標の値が増加したときＹ座標の値が増加する方向に平行に延び、
第２象限を占める複数の枝凸部７３３は、Ｘ座標の値が減少したときＹ座標の値が増加する方向に平行に延び、
第３象限を占める複数の枝凸部７３３は、Ｘ座標の値が減少したときＹ座標の値が減少する方向に平行に延び、
第４象限を占める複数の枝凸部７３３は、Ｘ座標の値が増加したときＹ座標の値が減少する方向に平行に延び、
Ｘ軸と平行な幹凸部７３１から延び、第１象限を占める枝凸部７３３と、Ｘ軸と平行な幹凸部７３１から延び、第４象限を占める枝凸部７３３とは、接合されておらず、
Ｙ軸と平行な幹凸部７３１から延び、第１象限を占める枝凸部７３３と、Ｙ軸と平行な幹凸部７３１から延び、第２象限を占める枝凸部７３３とは、接合されておらず、
Ｘ軸と平行な幹凸部７３１から延び、第２象限を占める枝凸部７３３と、Ｘ軸と平行な幹凸部７３１から延び、第３象限を占める枝凸部７３３とは、接合されておらず、
Ｙ軸と平行な幹凸部７３１から延び、第３象限を占める枝凸部７３３と、Ｙ軸と平行な幹凸部７３１から延び、第４象限を占める枝凸部７３３とは、接合されていない。即ち、実施例７において、枝凸部７３３はＸ軸上あるいはＹ軸上で接合されていない。
【０１３９】
枝凸部７３３のそれぞれは、接合していないが、接した状態にあってもよい。ここで、「接合」しているとは、枝凸部のそれぞれが或る長さで交わっている状態を指し、「接して」いるとは、枝凸部のそれぞれが非常に短い長さで（一種、点状で）交わっている状態を指す。
【０１４０】
このような構成にすることによっても、Ｘ軸と平行に延びる枝凸部の部分、あるいは、Ｙ軸と平行に延びる枝凸部の部分が存在しない。あるいは、存在したとしても、長さは短い。従って、実施例６において説明したと同様の効果を得ることができる。
【０１４１】
また、このように、枝凸部７３３と枝凸部７３３とを接合されていない状態で形成することで、画素の中心における第１電極１２０によって生成された電場が画素の中心の近傍において所望の状態に歪み、液晶分子の倒れる方向が規定される。その結果、画素の中心の近傍における液晶分子に対する配向規制力を強くすることができ、画素の中心の近傍における液晶分子のチルト状態を確実に規定することができる。それ故、液晶表示装置の製造時、液晶分子にプレチルトを付与するために液晶層を所望の電場に所定の時間、暴露するが、所望の電場に暴露された液晶分子の配向が安定するまでに要する時間の短縮化を図ることができる。即ち、短時間にて液晶分子にプレチルトを付与することが可能となり、液晶表示装置の製造時間の短縮化を図ることが可能となる。
【０１４２】
尚、図２２に示した実施例７の液晶表示装置は、図１５に示した実施例５の変形であるが、図１６あるいは図１７に示した実施例５の変形例を実施例７に適用することもできる。
【実施例８】
【０１４３】
実施例８は、実施例４〜実施例６の変形であり、本開示の第４−Ｅの態様／第５−Ｅの態様に係る液晶表示装置に関する。実施例８の液晶表示装置を構成する第１基板２０における１画素１０8を上方より眺めた模式図を図２３及び図２４に示す。図２３に示す液晶表示装置は、実施例６の液晶表示装置の変形であり、図２４に示す液晶表示装置は、実施例４の液晶表示装置の変形である。実施例８の液晶表示装置の模式的な一部端面図は、実質的に、図１と同じである。
【０１４４】
実施例８の液晶表示装置にあっては、Ｘ軸に沿った枝凸部８３３の形成ピッチをＰXとし、Ｙ軸に沿った枝凸部８３３の形成ピッチをＰY（＝ＰX）としたとき、枝凸部８３３の幅を（ＰY／２＝ＰX／２）とし、凹部３４０の幅を（ＰY／２＝ＰX／２）とした。
【０１４５】
実施例８の液晶表示装置にあっては、画素中心部を通り、画素周辺部に平行な直線のそれぞれをＸ軸、Ｙ軸とした（Ｘ，Ｙ）座標系を想定したとき、
第１象限を占める複数の枝凸部８３３は、Ｘ座標の値が増加したときＹ座標の値が増加する方向に平行に延び、
第２象限を占める複数の枝凸部８３３は、Ｘ座標の値が減少したときＹ座標の値が増加する方向に平行に延び、
第３象限を占める複数の枝凸部８３３は、Ｘ座標の値が減少したときＹ座標の値が減少する方向に平行に延び、
第４象限を占める複数の枝凸部８３３は、Ｘ座標の値が増加したときＹ座標の値が減少する方向に平行に延び、
Ｘ軸と平行な幹凸部８３１から延び、第１象限を占める枝凸部８３３と、Ｘ軸と平行な幹凸部８３１から延び、第４象限を占める枝凸部８３３とは、ずれた状態で形成されており（好ましくは、相互に（ＰX／２）ずれた状態で形成されており）、
Ｙ軸と平行な幹凸部８３１から延び、第１象限を占める枝凸部８３３と、Ｙ軸と平行な幹凸部８３１から延び、第２象限を占める枝凸部８３３とは、ずれた状態で形成されており（好ましくは、相互に（ＰY／２）ずれた状態で形成されており）、
Ｘ軸と平行な幹凸部８３１から延び、第２象限を占める枝凸部８３３と、Ｘ軸と平行な幹凸部８３１から延び、第３象限を占める枝凸部８３３とは、ずれた状態で形成されており（好ましくは、相互に（ＰX／２）ずれた状態で形成されており）、
Ｙ軸と平行な幹凸部８３１から延び、第３象限を占める枝凸部８３３と、Ｙ軸と平行な幹凸部８３１から延び、第４象限を占める枝凸部８３３とは、ずれた状態で形成されている（好ましくは、相互に（ＰY／２）ずれた状態で形成されている）。枝凸部８３３は、Ｘ軸及びＹ軸に対して線対称ではなく、画素の中心に対して１８０度の回転対称（点対称）である。
【０１４６】
このように、枝凸部８３３と枝凸部８３３とを、相互に半ピッチずつ、ずれた状態で形成することで、画素の中心における第１電極１２０によって生成された電場が画素の中心の近傍において歪み、液晶分子の倒れる方向が規定される。その結果、画素の中心の近傍における液晶分子に対する配向規制力を強くすることができ、画素の中心の近傍における液晶分子のチルト状態を確実に規定することができる。それ故、液晶表示装置の製造時、液晶分子にプレチルトを付与するために液晶層を所望の電場に所定の時間、暴露するが、所望の電場に暴露された液晶分子の配向が安定するまでに要する時間の短縮化を図ることができる。即ち、短時間にて液晶分子にプレチルトを付与することが可能となり、液晶表示装置の製造時間の短縮化を図ることが可能となる。
【０１４７】
尚、図１６あるいは図１７に示した実施例５の変形例を実施例８に適用することもできる。
【実施例９】
【０１４８】
実施例９は、本開示の第１−Ａの態様（実施例１及びその変形）、第２の態様及び第３の態様（実施例３及びその変形）、第４−Ａの態様及び第５−Ａの態様（実施例４及びその変形）に係る液晶表示装置の変形である。実施例９の液晶表示装置の模式的な一部端面図を図２５あるいは図２６に示す。また、実施例９の液晶表示装置における液晶分子の挙動を示す概念図を図４４Ｂ及び図４４Ｃに示す。
【０１４９】
実施例９の液晶表示装置にあっては、図２〜図４、図７、図１０、図１１、図１２、図１３、図１４に示したように、第１電極１２０には、画素中心部を通り、放射状（例えば、十文字状）に延びる（具体的には、例えば、Ｘ軸及びＹ軸と平行に延びる）幹凸部１３１，３３１あるいは第２幹凸部４３２が形成されている。そして、図２５あるいは図２６に示すように、幹凸部１３１，３３１あるいは第２幹凸部４３２と対応する第２電極５２の部分には、配向規制部５３が形成されている。
【０１５０】
ここで、配向規制部５３は、具体的には、第２電極５２に設けられた４．０μｍの第２電極スリット構造５４から成り（図２５及び図４４Ｂ参照）、あるいは又、第２電極５２に設けられた第２電極突起部（リブ）５５から成る（図２６及び図４４Ｃ参照）。第２電極突起部５５は、より具体的には、ネガ型フォトレジスト材料（ＪＳＲ株式会社製：オプトマーＡＬ）から成り、幅１．４μｍ、高さ１．２μｍである。第２電極スリット構造５４あるいは第２電極突起部（リブ）５５の平面形状は放射状（例えば、十文字状であり、例えば、Ｘ軸及びＹ軸と平行に延びる）であり、第２電極突起部５５の断面形状は二等辺三角形である。第２電極スリット構造５４あるいは第２電極突起部５５の上には第２電極５２は形成されていない。
【０１５１】
実施例９の液晶表示装置において、幹凸部１３１，３３１あるいは第２幹凸部４３２と対応する第２電極５２の部分には第２電極スリット構造５４から成る配向規制部５３が形成されているので、第２電極５２によって生成された電場が、配向規制部５３の近傍において歪む。あるいは又、第２電極突起部（リブ）５５から成る配向規制部５３が形成されているので、第２電極突起部５５近傍における液晶分子の倒れる方向が規定される。その結果、配向規制部５３の近傍における液晶分子に対する配向規制力を強くすることができ、配向規制部５３の近傍における液晶分子のチルト状態を確実に規定することができる。それ故、画像表示時、幹凸部に対応する画像の部分に暗線が発生するといった問題の発生を確実に抑制することができる。即ち、良好な電圧応答特性を保持しつつ、一層均一な高光透過率を実現することができる液晶表示装置を提供することができるし、バックライトを構成する光源のコスト低減、低消費電力化を図ることができ、また、ＴＦＴの信頼性の向上を図ることもできる。配向規制部５３を、突起状になった第２電極５２の部分から構成することもできる。
【実施例１０】
【０１５２】
実施例１０は、本開示の第１−Ａの態様（実施例１及びその変形）、第１−Ｂの態様（実施例２及びその変形）、第２の態様及び第３の態様（実施例３及びその変形）、第４−Ａの態様及び第５−Ａの態様（実施例４及びその変形）、第４−Ｂの態様及び第５−Ｂの態様（実施例５及びその変形）に係る液晶表示装置の変形に関する。実施例１０の液晶表示装置を構成する第１基板における１画素１０10を上方より眺めた模式図を、図２７及び図２８に示し、図２７の矢印Ａ−Ａ及び矢印Ｂ−Ｂに沿った第１電極等の模式的な一部断面図を図２９Ａ及び図２９Ｂに示し、図２８の矢印Ｃ−Ｃ及び矢印Ｄ−Ｄに沿った第１電極等の模式的な一部断面図を図２９Ｃ及び図２９Ｄに示す。図２７及び図２８に図示する例は、実施例２の変形例である。
【０１５３】
実施例１０の液晶表示装置において、第１電極１２０には、画素中心部を通り、画素周辺部に平行な第１電極スリット構造１３７Ａ（図２７参照）あるいは第１電極突起部（リブ）１３７Ｂ（図２８参照）が形成されている。即ち、画素の中央部に設けられた放射状（例えば、十文字状）の幹凹部２４１に、第１電極スリット構造１３７Ａあるいは第１電極突起部１３７Ｂが形成されている。第１電極スリット構造１３７Ａあるいは第１電極突起部１３７Ｂの平面形状は放射状（例えば、十文字状であり、例えば、Ｘ軸及びＹ軸と平行に延びる）である。第１電極スリット構造１３７Ａの幅を４．０μｍとした。また、ネガ型フォトレジスト材料（ＪＳＲ株式会社製：オプトマーＡＬ）から成る第１電極突起部１３７Ｂの幅を１．４μｍ、高さを１．２μｍとした。第１電極突起部１３７Ｂの断面形状は二等辺三角形である。第１電極スリット構造１３７Ａあるいは第１電極突起部１３７Ｂの上には第１電極１２０は形成されていない。
【０１５４】
実施例１０の液晶表示装置において、第１電極には、画素中心部を通り、画素周辺部に平行な第１電極スリット構造あるいは第１電極突起部が形成されているので、第１電極スリット構造あるいは第１電極突起部が存在しない平坦な凸部あるいは凹部が第１電極に形成されている場合と比較して、第１電極によって生成された電場が、第１電極スリット構造あるいは第１電極突起部近傍において歪み（第１電極スリット構造を形成した場合）、あるいは又、液晶分子の倒れる方向が規定される（第１電極突起部を形成した場合）。その結果、第１電極スリット構造あるいは第１電極突起部近傍における液晶分子に対する配向規制力を強くすることができ、第１電極スリット構造あるいは第１電極突起部近傍における液晶分子のチルト状態を確実に規定することができる。それ故、画像表示時、幹凸部や第２幹凸部あるいは幹凹部に対応する画像の部分に暗線が発生するといった問題の発生を確実に抑制することができる。即ち、良好な電圧応答特性を保持しつつ、一層均一な高光透過率を実現することができる液晶表示装置を提供することができるし、バックライトを構成する光源のコスト低減、低消費電力化を図ることができ、また、ＴＦＴの信頼性の向上を図ることもできる。第１電極突起部１３７Ｂを、第１電極１２０には、画素中心部を通る放射状（例えば、十文字状であり、例えば、Ｘ軸及びＹ軸と平行に延びる）の凸部が凹部に囲まれて形成されている形態とすることができる。このような放射状の凸部は、第１電極１２０の下側に放射状の凸部を形成することで設けることができるし、あるいは又、第１電極１２０における凹凸部の形成方法と同様の方法で設けることも可能である。あるいは又、第１電極スリット構造１３７Ａ若しくは第１電極突起部（リブ）１３７Ｂを設ける代わりに、画素中心部を通る放射状の凹部を設けてもよい。
【実施例１１】
【０１５５】
実施例１１は、実施例１〜実施例１０の変形であり、本開示の第６の態様に係る液晶表示装置に関する。
【０１５６】
実施例１１の液晶表示装置を構成する１画素分の一部分の第１電極等の模式的な平面図を図３０Ａ、図３０Ｂ、図３０Ｃ、図３１Ａ、図３１Ｂ、図３１Ｃ、図３２Ａ、図３２Ｂ、図３２Ｃ、図３３Ａ、図３３Ｂ、図３３Ｃに示すように、第１電極１２０には、凹凸部１２１に加えて、スリット部１３８Ａが形成されている。スリット部１３８Ａには、第１電極１２０を構成する透明導電材料層は形成されていない。尚、図３４Ａは、図３０Ｃの矢印Ａ−Ａに沿った模式的な端面図であり、図３４Ｂは、図３１Ｃの矢印Ｂ−Ｂに沿った模式的な端面図であり、図３４Ｃは、図３２Ｃの矢印Ｃ−Ｃに沿った模式的な端面図であり、図３４Ｄは、図３３Ｃの矢印Ｄ−Ｄに沿った模式的な端面図である。尚、図示した例は、実施例６の変形例としているが、スリット部１３８Ａは、他の実施例に適用することができることは云うまでもない。
【０１５７】
実施例１１にあっては、スリット部１３８Ａが凸部領域１２に形成されている。ここで、図３０Ａ、図３０Ｂ、図３０Ｃに示すように、スリット部１３８Ａは、画素１０11の中心領域（中央部分）１１を含む領域に設けられている。尚、凸部６３０、凸部領域１２、凹部３４０、中心領域１１の配置状態を図３０Ａに模式的に示し、第１電極１２０に設けられたスリット部１３８Ａの配置状態を図３０Ｂに模式的に示し、凹凸部１２１とスリット部１３８Ａを重ね合わせた図を図３０Ｃに示す。
【０１５８】
あるいは又、図３１Ａ、図３１Ｂ、図３１Ｃに示すように、スリット部１３８Ａは、各象限において、画素１０11の中心領域（中央部分）に向かって延びる１つの凸部領域１２（具体的には、１本の枝凸部６３３上）に形成されている。尚、凸部６３０、凸部領域１２、凹部３４０の配置状態を図３１Ａに模式的に示し、第１電極１２０に設けられたスリット部１３８Ａの配置状態を図３１Ｂに模式的に示し、凹凸部１２１とスリット部１３８Ａを重ね合わせた図を図３１Ｃに示す。
【０１５９】
あるいは又、図３２Ａ、図３２Ｂ、図３２Ｃに示すように、スリット部１３８Ａは、各象限において、画素１０11の中心領域（中央部分）１１に向かって延びる凸部領域１２に形成されている。尚、凸部６３０、凸部領域１２、凹部３４０、中心領域１１の配置状態を図３２Ａに模式的に示し、第１電極１２０に設けられたスリット部１３８Ａの配置状態を図３２Ｂに模式的に示し、凹凸部１２１とスリット部１３８Ａを重ね合わせた図を図３２Ｃに示す。
【０１６０】
あるいは又、図３３Ａ、図３３Ｂ、図３３Ｃに示すように、スリット部１３８Ａは、画素１０11の中心領域（中央部分）１１に向かって延びる凸部とＹ軸とによって挟まれた領域に設けられた凸部領域１２に形成されている。尚、凸部６３０、凸部領域１２、凹部３４０、中心領域１１の配置状態を図３３Ａに模式的に示し、第１電極１２０に設けられたスリット部１３８Ａの配置状態を図３３Ｂに模式的に示し、凹凸部１２１とスリット部１３８Ａを重ね合わせた図を図３３Ｃに示す。
【０１６１】
ここで、図３０Ａ、図３０Ｂ、図３０Ｃ、図３１Ａ、図３１Ｂ、図３１Ｃ、図３２Ａ、図３２Ｂ、図３２Ｃ、図３３Ａ、図３３Ｂ、図３３Ｃにおいては、凹部３４０を、縦方向に延びるハッチング線を付している。また、図３０Ｂ、図３０Ｃ、図３１Ｂ、図３１Ｃ、図３２Ｂ、図３２Ｃ、図３３Ｂ、図３３Ｃにおいては、スリット部１３８Ａを、横方向に延びるハッチング線を付している。参照番号１３８Ｂで示す領域には、スリット部は設けられておらず、第１電極１２０を構成する透明導電材料層１３５，１４５が形成されている。スリット部１３８Ａにおいては、下地層１５０が露出している。
【０１６２】
あるいは又、実施例１１の液晶表示装置を構成する画素の更に別の変形例の一部分における、凸部、凹部、スリット部等の配置状態を模式的に図３５Ａに示し、図３５Ａの矢印Ｂ−Ｂに沿った第１電極等の模式的な断面図を図３５Ｂに示すように、凸部６３０の頂部には、凸部６３０と平行に延びるスリット部１３８Ｃが形成されていてもよい。あるいは又、実施例１１の液晶表示装置を構成する画素の更に別の変形例における、凸部、凹部、スリット部等の配置状態を模式的に図３６Ａに示し、図３６Ａの矢印Ｂ−Ｂに沿った第１電極等の模式的な断面図を図３６Ｂに示すように、凹部３４０の底面には、凹部３４０と平行に延びるスリット部１３８Ｃが形成されていてもよい。尚、図３５Ａ及び図３６Ａにおいて、スリット部１３８Ｃを太い実線で示している。例えば、図３５Ａ及び図３５Ｂに示した例においては、（凸部の幅，凹部の幅，スリット部の幅）＝（７．０μｍ，３．０μｍ，３．０μｍ）であり、図３６Ａ及び図３６Ｂに示した例においては、（凸部の幅，凹部の幅，スリット部の幅）＝（３．０μｍ，７．０μｍ，３．０μｍ）である。ここで、スリット部１３８Ｃによって他の凸部６３０から孤立した凸部６３０が形成されないように、あるいは又、スリット部１３８Ｃによって他の凹部３４０から孤立した凹部３４０が形成されないように、即ち、全ての凹凸部が電気的に接続されているように、スリット部１３８Ｃを形成する。図３５Ａ、図３６Ａに示した例では、Ｘ軸及びＹ軸上における凸部あるいは凹部にはスリット部１３８Ｃが設けられていない。即ち、Ｘ軸及びＹ軸上における凸部あるいは凹部において、スリット部１３８Ｃには切欠きが設けられている。尚、画素１０11の周辺部において凸部あるいは凹部にスリット部を設けない構成としてもよい。
【０１６３】
このように、実施例１１において、第１電極１２０には、凹凸部１２１の他、スリット部１３８Ａ，１３８Ｃが形成されているので、第１電極１２０によって生成された電場がスリット部１３８Ａ，１３８Ｃの近傍において歪み、液晶分子の倒れる方向が強く規定される。即ち、スリット部１３８Ａ，１３８Ｃの近傍における液晶分子に対する配向規制力を強くすることができ、スリット部１３８Ａ，１３８Ｃの近傍における液晶分子のチルト状態を確実に規定することができる。それ故、液晶表示装置の製造時、液晶分子にプレチルトを付与するために液晶層を所望の電場に所定の時間、暴露するが、所望の電場に暴露された液晶分子の配向が安定するまでに要する時間の短縮化を図ることができる。即ち、短時間にて液晶分子にプレチルトを付与することが可能となり、液晶表示装置の製造時間の短縮化を図ることが可能となる。尚、スリット部だけでなく、凹凸部も設けられているので、従来のファインスリット構造における問題点は発生することがない。
【実施例１２】
【０１６４】
実施例１２は、実施例１〜実施例１１の変形であり、本開示の第７の態様に係る液晶表示装置に関する。実施例１２の液晶表示装置を構成する１画素分の第１電極の模式的な平面図を図３７に示し、実施例１２の液晶表示装置を構成する１画素１０12の中心領域における第１電極の部分の模式的な平面図を図３８Ａ、図３９Ａ、図３９Ｂに示し、模式的な一部断面図を図３８Ｂに示すように、画素１０12の中心領域における第１電極１２０には窪み１３９が設けられている。
【０１６５】
ここで、図３８Ｂに示すように、窪み１３９は第１基板に向かって窄まっている。即ち、窪み１３９は、所謂、順テーパーの斜面を有する。窪み１３９の傾斜角は、５度乃至６０度、好ましくは２０度乃至３０度であることが望ましい。このような傾斜角は、下地層１５０に傾斜が付くように、例えば、エッチバック法に基づき下地層１５０をエッチングすることで得ることができる。そして、窪み１３９の外縁１３９Ａの形状を、図３８Ａに示すように、円形（直径は、例えば、１５μｍあるいは７μｍ）とすることができるし、あるいは又、図３９Ａ、図３９Ｂに示すように、矩形（例えば、一辺の長さが１２μｍの正方形）とすることができる。矩形形状の窪み１３９の外縁１３９Ａと枝凸部６３３の延びる方向との成す角度（矩形形状の窪み１３９の外縁１３９Ａと、この外縁１３９Ａと枝凸部６３３の延長部が交わる枝凸部６３３の延びる方向との成す角度）は、９０度であってもよいし（図３９Ａ参照）、鋭角、例えば、６０度であってもよい（図３９Ｂ参照）。
【０１６６】
このように、実施例１２の液晶表示装置にあっては、画素の中心領域における第１電極１２０には窪み１３９が設けられているので、窪み１３９の近傍に位置する液晶分子は、画素の中心に向かって倒れる状態となる。それ故、液晶表示装置の製造時、液晶分子にプレチルトを付与するために液晶層を所望の電場に所定の時間、暴露するが、所望の電場に暴露された液晶分子の配向が安定するまでに要する時間の短縮化を図ることができる。即ち、短時間にて液晶分子にプレチルトを付与することが可能となり、液晶表示装置の製造時間の短縮化を図ることが可能となる。
【０１６７】
尚、図３８Ｃに示すように、窪み１３９の中心部はコンタクトホール（接続孔３５）の一部を構成する構成とすることもできる。また、図示した例は、実施例６の変形例としているが、窪み１３９は、他の実施例に適用することができることは云うまでもない。
【実施例１３】
【０１６８】
実施例１３は、実施例１、実施例４の変形に関する。図４０に、実施例１３の液晶表示装置を構成する１画素分の第１電極の模式的な平面図を示し、図４１Ａ、図４１Ｂ及び図４２に、図４０の第１電極の模式的な平面図において円形の領域で囲んだ第１電極の部分を拡大した模式的な平面図を示す。
【０１６９】
実施例１３の液晶表示装置の各画素１０13において、枝凸部４３３と接合していない第２幹凸部４３２の側辺部分４３２ｂの延びる方向は、Ｘ軸とは平行でなく、且つ、Ｙ軸とは平行でない。即ち、枝凸部４３３と接合していない第２幹凸部４３２の側辺部分４３２ｂの延びる方向は、Ｘ軸と異なる方向であり、且つ、Ｘ軸と異なる方向である。尚、第２幹凸部４３２は、Ｘ軸に対して線対称であり、Ｙ軸に対しても線対称であるし、また、画素の中心に対して１８０度の回転対称（点対称）である。あるいは又、実施例１の液晶表示装置において、枝凸部１３３と接合していない幹凸部１３１の側辺部分の延びる方向は、Ｘ軸とは平行でなく、且つ、Ｙ軸とは平行でない構成とすることができる。即ち、枝凸部と接合していない幹凸部あるいは第２幹凸部の側辺部分の延びる方向は、Ｘ軸及びＹ軸と異なる方向である。このような構成を採用することで、Ｘ軸及びＹ軸に対応した領域における暗線の発生を抑制することができる結果、一層均一な高い光透過率を実現することが可能な液晶表示装置を提供することができる。また、短時間にて液晶分子６１にプレチルトを付与することを可能とする構成、構造を有する液晶表示装置を提供することができる。
【０１７０】
具体的には、枝凸部４３３と接合していない第２幹凸部４３２の側辺部分４３２ｂは、図４０及び図４１Ａに示すように、直線状であり、あるいは又、図４１Ｂ、図４２に示すように、曲線状である。そして、図４０、図４１Ａ、図４１Ｂ、図４２に示すように、枝凸部４３３と接合していない第２幹凸部４３２の部分４３２ａの幅は、第２幹凸部４３２の先端部に向かって狭くなっている。
【０１７１】
このように、実施例１３の液晶表示装置にあっては、Ｘ軸と平行に延びる幹凸部の部分、あるいは、Ｙ軸と平行に延びる幹凸部の部分が存在しない。従って、一層均一な高い光透過率を実現することが可能な液晶表示装置を提供することができるし、また、短時間にて液晶分子にプレチルトを付与することを可能とする構成、構造を有する液晶表示装置を提供することができる。
【実施例１４】
【０１７２】
実施例１４は、実施例１〜実施例１３において説明した液晶表示装置の変形である。実施例１４の液晶表示装置を構成する１画素分の第１電極の模式的な平面図を図４３に示すが、図４３に示す例は、実施例１の変形であり、図２の矢印Ａ−Ａに沿った第１電極等の模式的な一部断面図に相当する。
【０１７３】
実施例１４の液晶表示装置にあっては、画素１０14と画素１０14との間に位置する第１基板の部分２０Ａから、画素周辺部に対応する第１基板２０の部分２０Ｂに亙り、凸構造１３が形成されており、凹凸部１２１の周辺部は凸構造１３上に形成されている。ここで、凸構造１３は、具体的には、ブラックマトリクスに基づき形成されている。ブラックマトリクスは、カーボンが添加された光硬化性樹脂から構成されている。実施例１４の液晶表示装置において、凹凸部１２１の周辺部が凸構造１３上に形成されているので、凹凸部１２１の周辺部が平坦な場合と比べて、より一層強い電場が凹凸部の周辺部に生じる。その結果、凹凸部１２１の周辺部における液晶分子に対する配向規制力を強くすることができ、凹凸部１２１の周辺部における液晶分子のチルト状態を確実に規定することができる。それ故、良好な電圧応答特性を保持することができる。
【０１７４】
尚、凸構造は、ブラックマトリクスに基づき形成される形態に限定するものではなく、第１基板２０の上、あるいは、第１基板２０の上方に形成された液晶表示装置構成要素、例えば、各種信号線や補助容量電極、ゲート電極、ソース／ドレイン電極、各種配線から構成することもできる。そして、この場合、下地層１５０の厚さの最適化を図ることで、液晶表示装置構成要素の厚さの影響で下地層１５０に凸構造を形成することができる。
【０１７５】
以上、本開示を好ましい実施例に基づき説明したが、本開示はこれらの実施例に限定するものではなく、種々の変形が可能である。凸部や枝凸部の平面形状は、実施例において説明したＶ字状に限定されず、例えばストライプ状や梯子状等、凸部や枝凸部が複数の方位に向かって延びる様々なパターンを採用することができる。凸部や枝凸部を全体として見た場合、凸部や枝凸部の端部の平面形状は、直線状であってもよいし、階段状とすることもできる。更には、各凸部や枝凸部の端部の平面形状は、直線状であってもよいし、線分の組合せから構成されていてもよいし、円弧等の曲線を描いていてもよい。
【０１７６】
実施例ではＶＡモードの液晶表示装置（液晶表示素子）について説明したが、本開示は必ずしもこれに限定されず、ＥＣＢモード（水平配向でポジ液晶のモード；ツイスト無し）、ＩＰＳ（In Plane Switching ）モード、ＦＦＳ（Fringe Field Switching）モードあるいはＯＣＢ（Optically Compensated Bend）モード等の、他の表示モードにも適用可能である。この場合においても同様の効果が得られる。但し、本開示では、プレチルト処理が施されていないものと比較すると、ＶＡモードにおいて、ＩＰＳモードやＦＦＳモードよりも、特に高い応答特性の改善効果を発揮することができる。また、実施例では、専ら透過型の液晶表示装置（液晶表示素子）について説明したが、必ずしも透過型に限られず、例えば、反射型としてもよい。反射型とした場合には、画素電極がアルミニウム等の光反射性を有する電極材料により構成される。
【０１７７】
尚、本開示は、以下のような構成を取ることもできる。
［Ａ０１］《液晶表示装置・・・第１の態様》
第１基板及び第２基板、
第２基板と対向する第１基板の対向面に形成された第１電極、
第１基板と対向する第２基板の対向面に形成された第２電極、並びに、
第１電極及び第２電極の間に設けられ、液晶分子を含む液晶層、
を有する画素が、複数、配列されて成る液晶表示装置であって、
液晶分子にはプレチルトが付与され、
第１電極は、複数の凸部及び凹部を有する下地層、及び、透明導電材料層から成り、
下地層の凸部頂面には、第１給電部に接続された第１透明導電材料層が形成されており、
下地層の凹部底面には、第２給電部に接続された第２透明導電材料層が形成されている液晶表示装置。
［Ａ０２］《液晶表示装置・・・第１−Ａの態様》
凸部は、画素中心部を通り、放射状（例えば、十文字状）に延びる幹凸部、及び、幹凸部から画素周辺部に向かって延びる複数の枝凸部から構成されており、
凹部は、画素周辺部に額縁状に形成され、凸部を取り囲む幹凹部、及び、幹凹部から延び、枝凸部と枝凸部との間に位置する枝凹部から構成されている［Ａ０１］に記載の液晶表示装置。
［Ａ０３］《液晶表示装置・・・第１−Ｂの態様》
凸部は、画素周辺部に額縁状に形成された幹凸部、及び、幹凸部から画素内部に向かって延びる複数の枝凸部から構成されており、
凹部は、画素中心部を通り、放射状（例えば、十文字状）に延びる幹凹部、及び、幹凹部から画素周辺部に向かって延び、枝凸部と枝凸部との間に位置する枝凹部から構成されている［Ａ０１］に記載の液晶表示装置。
［Ａ０４］第１給電部と第２給電部とは共通である［Ａ０１］乃至［Ａ０３］のいずれか１項に記載の液晶表示装置。
［Ａ０５］共通とされた第１給電部及び第２給電部は画素周辺部に設けられている［Ａ０４］に記載の液晶表示装置。
［Ａ０６］第１給電部は画素中心部に設けられており、
第２給電部は画素周辺部に設けられている［Ａ０１］乃至［Ａ０３］のいずれか１項に記載の液晶表示装置。
［Ａ０７］  第１給電部は及び第２給電部は画素周辺部に設けられている［Ａ０１］乃至［Ａ０３］のいずれか１項に記載の液晶表示装置。
［Ａ０８］画素中心部を通り、画素周辺部に平行な直線のそれぞれをＸ軸、Ｙ軸とした（Ｘ，Ｙ）座標系を想定したとき、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延びる［Ａ０１］乃至［Ａ０７］のいずれか１項に記載の液晶表示装置。
［Ｂ０１］《液晶表示装置・・・第２の態様》
第１基板及び第２基板、
第２基板と対向する第１基板の対向面に形成された第１電極、
第１基板と対向する第２基板の対向面に形成された第２電極、並びに、
第１電極及び第２電極の間に設けられ、液晶分子を含む液晶層、
を有する画素が、複数、配列されて成る液晶表示装置であって、
液晶分子にはプレチルトが付与され、
第１電極は、複数の凸部及び凹部を有する下地層、及び、透明導電材料層から成り、
下地層の凸部頂面には、第１透明導電材料層が形成されており、
下地層の凹部底面には、第１透明導電材料層と繋がった第２透明導電材料層が形成されており、
凸部は、画素中心部を通り、放射状（例えば、十文字状）に延びる幹凸部、及び、幹凸部から画素周辺部に向かって延びる複数の枝凸部から構成されており、
凹部は、幹凸部から延び、枝凸部と枝凸部との間に位置し、
凹部には最狭部が存在する液晶表示装置。
［Ｂ０２］《液晶表示装置・・・第３の態様》
第１基板及び第２基板、
第２基板と対向する第１基板の対向面に形成された第１電極、
第１基板と対向する第２基板の対向面に形成された第２電極、並びに、
第１電極及び第２電極の間に設けられ、液晶分子を含む液晶層、
を有する画素が、複数、配列されて成る液晶表示装置であって、
液晶分子にはプレチルトが付与され、
第１電極は、複数の凸部及び凹部を有する下地層、及び、透明導電材料層から成り、
下地層の凸部頂面には、第１透明導電材料層が形成されており、
下地層の凹部底面には、第１透明導電材料層と繋がった第２透明導電材料層が形成されており、
凸部は、画素中心部を通り、放射状（例えば、十文字状）に延びる幹凸部、及び、幹凸部から画素周辺部に向かって延びる複数の枝凸部から構成されており、
凹部は、幹凸部から延び、枝凸部と枝凸部との間に位置し、
凹部と凸部との間の段差が最も小さくなる領域が存在する液晶表示装置。
［Ｃ０１］《液晶表示装置・・・第４の態様》
第１基板及び第２基板、
第２基板と対向する第１基板の対向面に形成された第１電極、
第１基板と対向する第２基板の対向面に形成された第２電極、並びに、
第１電極及び第２電極の間に設けられ、液晶分子を含む液晶層、
を有する画素が、複数、配列されて成る液晶表示装置であって、
液晶分子にはプレチルトが付与され、
第１電極は、複数の凸部及び凹部を有する下地層、及び、透明導電材料層から成り、
下地層の凸部頂面には、第１透明導電材料層が形成されており、
下地層の凹部底面には、第１透明導電材料層と繋がった第２透明導電材料層が形成されており、
凸部は、画素周辺部に額縁状に形成された幹凸部、及び、幹凸部から画素内部に向かって延びる複数の枝凸部から構成されており、
凹部は、幹凸部から延び、枝凸部と枝凸部との間に位置し、
凹部には最狭部が存在する液晶表示装置。
［Ｃ０２］《液晶表示装置・・・第５の態様》
第１基板及び第２基板、
第２基板と対向する第１基板の対向面に形成された第１電極、
第１基板と対向する第２基板の対向面に形成された第２電極、並びに、
第１電極及び第２電極の間に設けられ、液晶分子を含む液晶層、
を有する画素が、複数、配列されて成る液晶表示装置であって、
液晶分子にはプレチルトが付与され、
第１電極は、複数の凸部及び凹部を有する下地層、及び、透明導電材料層から成り、
下地層の凸部頂面には、第１透明導電材料層が形成されており、
下地層の凹部底面には、第１透明導電材料層と繋がった第２透明導電材料層が形成されており、
凸部は、画素周辺部に額縁状に形成された幹凸部、及び、幹凸部から画素内部に向かって延びる複数の枝凸部から構成されており、
凹部は、幹凸部から延び、枝凸部と枝凸部との間に位置し、
凹部と凸部との間の段差が最も小さくなる領域が存在する液晶表示装置。
［Ｃ０３］《液晶表示装置・・・第４−Ａの態様／第５−Ａの態様》
凸部は、更に、幹凸部から、画素中心部を通り、放射状（例えば、十文字状）に延び、枝凸部と繋がった第２幹凸部を有する［Ｃ０１］又は［Ｃ０２］に記載の液晶表示装置。
［Ｃ０４］《液晶表示装置・・・第４−Ｂの態様／第５−Ｂの態様》
凹部は、画素中心部を通り、放射状（例えば、十文字状）に延びる幹凹部、及び、幹凹部から幹凸部へと延び、枝凸部と枝凸部との間に位置する枝凹部から構成されている［Ｃ０１］又は［Ｃ０２］に記載の液晶表示装置。
［Ｃ０５］画素中心部を通り、画素周辺部に平行な直線のそれぞれをＸ軸、Ｙ軸とした（Ｘ，Ｙ）座標系を想定したとき、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延びる［Ｃ０１］乃至［Ｃ０４］のいずれか１項に記載の液晶表示装置。
［Ｃ０６］《液晶表示装置・・・第４−Ｃの態様／第５−Ｃの態様》
画素中心部を通り、画素周辺部に平行な直線のそれぞれをＸ軸、Ｙ軸とした（Ｘ，Ｙ）座標系を想定したとき、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延び、
Ｘ軸と平行な幹凸部から延び、第１象限を占める枝凸部と、Ｘ軸と平行な幹凸部から延び、第４象限を占める枝凸部とは、繋がった状態で形成されており、
Ｙ軸と平行な幹凸部から延び、第１象限を占める枝凸部と、Ｙ軸と平行な幹凸部から延び、第２象限を占める枝凸部とは、繋がった状態で形成されており、
Ｘ軸と平行な幹凸部から延び、第２象限を占める枝凸部と、Ｘ軸と平行な幹凸部から延び、第３象限を占める枝凸部とは、繋がった状態で形成されており、
Ｙ軸と平行な幹凸部から延び、第３象限を占める枝凸部と、Ｙ軸と平行な幹凸部から延び、第４象限を占める枝凸部とは、繋がった状態で形成されている［Ｃ０１］又は［Ｃ０２］に記載の液晶表示装置。
［Ｃ０７］《液晶表示装置・・・第４−Ｄの態様／第５−Ｄの態様》
画素中心部を通り、画素周辺部に平行な直線のそれぞれをＸ軸、Ｙ軸とした（Ｘ，Ｙ）座標系を想定したとき、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延び、
Ｘ軸と平行な幹凸部から延び、第１象限を占める枝凸部と、Ｘ軸と平行な幹凸部から延び、第４象限を占める枝凸部とは、接合されておらず、
Ｙ軸と平行な幹凸部から延び、第１象限を占める枝凸部と、Ｙ軸と平行な幹凸部から延び、第２象限を占める枝凸部とは、接合されておらず、
Ｘ軸と平行な幹凸部から延び、第２象限を占める枝凸部と、Ｘ軸と平行な幹凸部から延び、第３象限を占める枝凸部とは、接合されておらず、
Ｙ軸と平行な幹凸部から延び、第３象限を占める枝凸部と、Ｙ軸と平行な幹凸部から延び、第４象限を占める枝凸部とは、接合されていない［Ｃ０１］又は［Ｃ０２］に記載の液晶表示装置。
［Ｃ０８］《液晶表示装置・・・第４−Ｅの態様／第５−Ｅの態様》
画素中心部を通り、画素周辺部に平行な直線のそれぞれをＸ軸、Ｙ軸とした（Ｘ，Ｙ）座標系を想定したとき、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延び、
Ｘ軸と平行な幹凸部から延び、第１象限を占める枝凸部と、Ｘ軸と平行な幹凸部から延び、第４象限を占める枝凸部とは、ずれた状態で形成されており、
Ｙ軸と平行な幹凸部から延び、第１象限を占める枝凸部と、Ｙ軸と平行な幹凸部から延び、第２象限を占める枝凸部とは、ずれた状態で形成されており、
Ｘ軸と平行な幹凸部から延び、第２象限を占める枝凸部と、Ｘ軸と平行な幹凸部から延び、第３象限を占める枝凸部とは、ずれた状態で形成されており、
Ｙ軸と平行な幹凸部から延び、第３象限を占める枝凸部と、Ｙ軸と平行な幹凸部から延び、第４象限を占める枝凸部とは、ずれた状態で形成されている［Ｃ０１］又は［Ｃ０２］に記載の液晶表示装置。
［Ｄ０１］下地層の凸部頂面と凹部底面とを結ぶ下地層の側面の少なくとも一部には、透明導電材料層が更に形成されている［Ａ０１］乃至［Ｃ０８］のいずれか１項に記載の液晶表示装置。
［Ｄ０２］ブラックマトリクスが設けられており、
画素と画素との間に位置する第１基板の部分の射影像及び画素周辺部の射影像と、ブラックマトリクスの射影像とが重なる［Ａ０１］乃至［Ｄ０１］のいずれか１項に記載の液晶表示装置。
［Ｄ０３］第１電極を覆う第１配向膜及び第２電極を覆う第２配向膜を更に備えており、
液晶層に対して所定の電場を印加しつつ、少なくとも第１配向膜を構成する重合性モノマーを反応させることにより液晶分子にプレチルトが付与される［Ａ０１］乃至［Ｄ０２］のいずれか１項に記載の液晶表示装置。
［Ｄ０４］第１電極を覆う第１配向膜及び第２電極を覆う第２配向膜を更に備えており、
液晶層に対して所定の電場を印加しつつ、液晶層中に含まれる重合性モノマーを反応させることにより液晶分子にプレチルトが付与される［Ａ０１］乃至［Ｄ０２］のいずれか１項に記載の液晶表示装置。
［Ｄ０５］第１配向膜の平均膜厚をＴ1、第２配向膜の平均膜厚をＴ2としたとき、
０．５≦Ｔ2／Ｔ1≦１．５
を満足する［Ｄ０３］又は［Ｄ０４］に記載の液晶表示装置。
［Ｅ０１］幹凸部と対応する第２電極の部分には、配向規制部が形成されている［Ａ０１］乃至［Ｄ０４］のいずれか１項に記載の液晶表示装置。
［Ｅ０２］第１電極には、画素中心部を通り、画素周辺部に平行な第１電極スリット構造あるいは第１電極突起部が形成されている［Ａ０１］乃至［Ｄ０４］のいずれか１項に記載の液晶表示装置。
［Ｅ０３］第１電極に設けられた枝凸部の幅は、先端部に向かって狭くなっている［Ａ０１］乃至［Ｅ０２］のいずれか１項に記載の液晶表示装置。
［Ｅ０４］枝凸部の幅は、幹凸部と接合する枝凸部の部分が最も広く、幹凸部と接合する部分から先端部に向かって狭くなっている［Ａ０１］乃至［Ｅ０２］のいずれか１項に記載の液晶表示装置。
［Ｅ０５］枝凸部の幅は、幹凸部と接合する部分から先端部に向かって直線状に狭くなっている［Ｅ０４］に記載の液晶表示装置。
［Ｅ０６］画素と画素との間に位置する第１基板の部分から、画素周辺部に対応する第１基板の部分に亙り、凸構造が形成されており、
凹凸部の周辺部は凸構造上に形成されている［Ａ０１］乃至［Ｅ０５］のいずれか１項に記載の液晶表示装置。
［Ｆ０１］第１電極にはスリット部が形成されている［Ａ０１］乃至［Ｅ０６］のいずれか１項に記載の液晶表示装置。
［Ｆ０２］スリット部は凸部領域に形成されている［Ｆ０１］に記載の液晶表示装置。
［Ｆ０３］スリット部は、画素の中央部分を含む凸部領域に設けられている［Ｆ０２］に記載の液晶表示装置。
［Ｆ０４］画素の中心領域に向かって延びる凸部領域にスリット部が形成されている［Ｆ０２］に記載の液晶表示装置。
［Ｆ０５］画素の中心領域に向かって延びる凸部とＹ軸とによって挟まれた領域に設けられた凸部領域にスリット部が形成されている［Ｆ０２］に記載の液晶表示装置。
［Ｆ０６］凸部の頂部には、凸部と平行に延びるスリット部が形成されている［Ｆ０１］に記載の液晶表示装置。
［Ｆ０７］凹部の底部には、凹部と平行に延びるスリット部が形成されている［Ｆ０１］に記載の液晶表示装置。
［Ｇ０１］画素の中心領域における第１電極には窪みが設けられている［Ａ０１］乃至［Ｆ０７］のいずれか１項に液晶表示装置。
［Ｇ０２］窪みは第１基板に向かって窄まっている［Ｇ０１］に記載の液晶表示装置。
［Ｇ０３］窪みの傾斜角は５度乃至６０度である［Ｇ０２］に記載の液晶表示装置。
［Ｇ０４］窪みの外縁の形状は円形である［Ｇ０１］乃至［Ｇ０３］のいずれか１項に記載の液晶表示装置。
［Ｇ０５］窪みの外縁の形状は矩形である［Ｇ０１］乃至［Ｇ０３］のいずれか１項に記載の液晶表示装置。
［Ｇ０６］矩形形状の窪みの外縁と凸部の延びる方向との成す角度は９０度である［Ｇ０５］に記載の液晶表示装置。
［Ｇ０７］矩形形状の窪みの外縁と凸部の延びる方向との成す角度は鋭角である［Ｇ０５］に記載の液晶表示装置。
［Ｇ０８］窪みの中心部はコンタクトホールの一部を構成する［Ｇ０１］乃至［Ｇ０７］のいずれか１項に記載の液晶表示装置。
［Ｈ０１］Ｘ軸あるいはその近傍から延び、第１象限を占める凸部と、Ｘ軸あるいはその近傍から延び、第４象限を占める凸部とは、相互にずれた状態で形成されており、
Ｙ軸あるいはその近傍から延び、第１象限を占める凸部と、Ｙ軸あるいはその近傍から延び、第２象限を占める凸部とは、相互にずれた状態で形成されており、
Ｘ軸あるいはその近傍から延び、第２象限を占める凸部と、Ｘ軸あるいはその近傍から延び、第３象限を占める凸部とは、相互にずれた状態で形成されており、
Ｙ軸あるいはその近傍から延び、第３象限を占める凸部と、Ｙ軸あるいはその近傍から延び、第４象限を占める凸部とは、相互にずれた状態で形成されている［Ａ０１］乃至［Ｇ０８］のいずれか１項に記載の液晶表示装置。
［Ｈ０２］Ｘ軸に沿った凸部の形成ピッチをＰXとし、Ｙ軸に沿った凸部の形成ピッチをＰYとしたとき、
Ｘ軸あるいはその近傍から延び、第１象限を占める凸部と、Ｘ軸あるいはその近傍から延び、第４象限を占める凸部とは、相互に（ＰX／２）ずれた状態で形成されており、
Ｙ軸あるいはその近傍から延び、第１象限を占める凸部と、Ｙ軸あるいはその近傍から延び、第２象限を占める凸部とは、相互に（ＰY／２）ずれた状態で形成されており、
Ｘ軸あるいはその近傍から延び、第２象限を占める凸部と、Ｘ軸あるいはその近傍から延び、第３象限を占める凸部とは、相互に（ＰX／２）ずれた状態で形成されており、
Ｙ軸あるいはその近傍から延び、第３象限を占める凸部と、Ｙ軸あるいはその近傍から延び、第４象限を占める凸部とは、相互に（ＰY／２）ずれた状態で形成されている［Ｈ０１］に記載の液晶表示装置。
［Ｊ０１］枝凸部と接合していない幹凸部の側辺部分の延びる方向は、Ｘ軸とは平行でなく、且つ、Ｙ軸とは平行でない［Ａ０２］、［Ａ０３］、［Ｂ０１］、［Ｂ０２］、［Ｃ０１］、［Ｃ０２］、［Ｃ０３］又は［Ｃ０４］に記載の液晶表示装置。
［Ｊ０２］複数の凹凸部を構成する幹凸部は、Ｘ軸上及びＹ軸上に形成されている代わりに、画素周辺部に額縁状に形成されている［Ｊ０１］に記載の液晶表示装置。
［Ｊ０３］枝凸部と接合していない幹凸部の側辺部分は、直線状である［Ｊ０１］又は［Ｊ０２］に記載の液晶表示装置。
［Ｊ０４］枝凸部と接合していない幹凸部の側辺部分は、曲線状である［Ｊ０１］乃至［Ｊ０３］のいずれか１項に記載の液晶表示装置。
［Ｊ０５］枝凸部と接合していない幹凸部の部分の幅は、幹凸部の先端部に向かって狭くなっている［Ｊ０１］乃至［Ｊ０４］のいずれか１項に記載の液晶表示装置。
［Ｊ０６］枝凸部の幅は画素の周辺部に向かって狭くなる［Ｊ０１］乃至［Ｊ０５］のいずれか１項に記載の液晶表示装置。
【符号の説明】
【０１７８】
１０，１０Ａ，１０Ｂ，１０Ｃ，１０1，１０2，１０3，１０4，１０5，１０6，１０7，１０8，１０10，１０11，１０12，１０13，１０14・・・画素、１１・・・画素の中心領域（中央部分）、１２・・・凸部領域、１３・・・凸構造、２０・・・第１基板、２０Ａ・・・画素と画素との間に位置する第１基板の部分、２０Ｂ・・・画素周辺部に対応する第１基板の部分、２０’・・・絶縁膜、２１・・・第１配向膜、２２・・・カラーフィルター層、３０・・・ＴＦＴ層、３１・・・ゲート電極、３２・・・ゲート絶縁層、３３・・・半導体層（チャネル形成領域）、３４・・・ソース／ドレイン電極、３５・・・接続孔（コンタクトホール）、５０・・・第２基板、５１・・・第２配向膜、５２・・・第２電極（対向電極）、５３・・・配向規制部、５４・・・第２電極スリット構造、５５・・・第２電極突起部（リブ）、６０・・・液晶層、６１，６１Ａ，６１Ｂ，６１Ｃ・・・液晶分子、８０・・・表示領域、８１・・・ソースドライバ、８２・・・ゲートドライバ、８３・・・タイミングコントローラ、８４・・・電源回路、９１・・・ソース線、９２・・・ゲート線、９３・・・ＴＦＴ、９４・・・キャパシタ、１２０・・・第１電極（画素電極）、１２１・・・凹凸部、１３０，２３０，３３０，４３０，５３０，６３０，７３０，８３０・・・凸部、１３１，２３１，３３１，４３１，５３１，６３１，７３１，８３１・・・幹凸部（主凸部）、４３２・・・第２幹凸部、４３２ａ・・・枝凸部と接合していない第２幹凸部の部分、４３２ｂ・・・枝凸部と接合していない第２幹凸部の側辺部分、１３３，２３３，３３３，４３３，５３３，６３３，７３３，８３３・・・枝凸部（副凸部）、３３３ａ，４３３ａ・・・幹凸部と接合する枝凸部の部分、３３３ｂ，４３３ｂ・・・枝凸部の先端部、６３３ａ・・・２つの枝凸部の接合部、６３３ｂ・・・枝凸部の突出部、１３５・・・第１透明導電材料層、１３６Ａ，１３６Ｂ，１３６Ｃ，１３６Ｄ，１３６Ｅ，１４６Ｂ，１４６Ｃ・・・給電部、１３７Ａ・・・第１電極スリット構造、１３７Ｂ・・・第１電極突起部（リブ）、１３８Ａ，１３８Ｃ・・・スリット部、１３８Ｂ・・・スリット部は設けられておらず、第１電極を構成する透明導電材料層が形成されている領域、１３９・・・窪み、１３９Ａ・・・窪みの外縁、１４０，２４０，３４０，４４０，５４０・・・凹部、１４１，２４１，５４１・・・幹凹部（主凹部）、１４３，２４３，５４３・・・枝凹部（副凹部）、３４４，４４４・・・凹部が幹凸部から延び出す部分、５４４・・・枝凹部が幹凸部から延び出す部分、１４５・・・第２透明導電材料層、１５０・・・下地層、１５１・・・下地層の凸部頂面、１５２・・・下地層の凹部底面、１５３・・・下地層の側面
【図１】
2015191232.tif 000003
【図２】
2015191232.tif 000004
【図３】
2015191232.tif 000005
【図４】
2015191232.tif 000006
【図５】
2015191232.tif 000007
【図６】
2015191232.tif 000008
【図７】
2015191232.tif 000009
【図８】
2015191232.tif 000010
【図９】
2015191232.tif 000011
【図１０】
2015191232.tif 000012
【図１１】
2015191232.tif 000013
【図１２】
2015191232.tif 000014
【図１３】
2015191232.tif 000015
【図１４】
2015191232.tif 000016
【図１５】
2015191232.tif 000017
【図１６】
2015191232.tif 000018
【図１７】
2015191232.tif 000019
【図１８】
2015191232.tif 000020
【図１９】
2015191232.tif 000021
【図２０】
2015191232.tif 000022
【図２１】
2015191232.tif 000023
【図２２】
2015191232.tif 000024
【図２３】
2015191232.tif 000025
【図２４】
2015191232.tif 000026
【図２５】
2015191232.tif 000027
【図２６】
2015191232.tif 000028
【図２７】
2015191232.tif 000029
【図２８】
2015191232.tif 000030
【図２９】
2015191232.tif 000031
【図３０】
2015191232.tif 000032
【図３１】
2015191232.tif 000033
【図３２】
2015191232.tif 000034
【図３３】
2015191232.tif 000035
【図３４】
2015191232.tif 000036
【図３５】
2015191232.tif 000037
【図３６】
2015191232.tif 000038
【図３７】
2015191232.tif 000039
【図３８】
2015191232.tif 000040
【図３９】
2015191232.tif 000041
【図４０】
2015191232.tif 000042
【図４１】
2015191232.tif 000043
【図４２】
2015191232.tif 000044
【図４３】
2015191232.tif 000045
【図４５】
2015191232.tif 000046
【図４６】
2015191232.tif 000047
【図４７】
2015191232.tif 000048
【図４８】
2015191232.tif 000049
【図４４】
2015191232.tif 000050